(57)【要約】【課題】編集前後の素材のうち、一方から他方の検索が容易にできるようにする。【解決手段】  ＯＡサーバ管理端末１００は、所定の取材内容に従って取材された結果得られるデータである１以上の取材素材の各々と、１以上の取材素材が編集された結果得られるデータであるＯＡ素材とを対応付ける対応情報を作成する。ＯＡサーバ管理端末１００は、リンク情報としての取材メタデータと、番組メタデータと、ＯＡ送出素材情報とに基づいて、ＯＡ送出素材ＩＤ、ＯＡ送出情報ＩＤ、取材ＩＤ、及び素材情報ＩＤを含む情報を、対応情報として作成する。本発明は、OTCシステムを備えた情報処理装置に適用することができる。【選択図】図３
2012004905.tif 000002
【特許請求の範囲】
【請求項１】
所定の取材内容に従って取材された結果得られるデータである１以上の取材素材の各々と、前記１以上の取材素材が編集された結果得られるデータであるＯＡ素材とを対応付ける対応情報を作成する作成手段を備え、
前記作成手段は、
前記取材内容を特定する取材ＩＤと、前記１以上の取材素材の各々を特定する素材情報ＩＤとを含むことによって、前記取材内容と前記１以上の取材素材の各々とを対応付けるリンク情報としての取材メタデータと、
前記取材内容に対応する前記ＯＡ素材を放送するための番組メタデータであって、前記取材ＩＤ、及び、放送対象の前記ＯＡ素材であることを特定するＯＡ送出情報ＩＤを含む番組メタデータと、
前記番組メタデータに従って放送される対象の前記ＯＡ素材に関するＯＡ送出素材情報であって、前記ＯＡ送出情報ＩＤ、及び前記ＯＡ素材自体を特定するＯＡ送出素材ＩＤを含むＯＡ送出素材情報と、
に基づいて、
前記ＯＡ送出素材ＩＤ、前記ＯＡ送出情報ＩＤ、前記取材ＩＤ、及び前記素材情報ＩＤを含む情報を、前記対応情報として作成する
情報処理装置。
【請求項２】
前記取材メタデータは、取材時に前記取材素材が記録された記録媒体とは別に、第１装置に記録されており、
前記番組メタデータは、前記第１装置に記録されており、
前記ＯＡ送出素材情報は、前記ＯＡ素材が記録されている第２装置に記録されており、
前記作成手段は、
前記第１装置と通信をすることで、前記取材メタデータ及び前記番組メタデータを参照し、
前記第２装置と通信をすることで、前記ＯＡ送出素材情報を参照することにより、
前記対応情報を作成する
請求項１に記載の情報処理装置。
【請求項３】
前記番組メタデータは、第１装置に記録されており、
前記取材メタデータは、取材時に前記取材素材が記録された記録媒体に併せて記録され、前記記録媒体を介して前記第１装置に記録されており、
前記ＯＡ送出素材情報は、前記ＯＡ素材が記録されている第２装置に記録されており、
前記作成手段は、
前記第１装置と通信をすることで、前記番組メタデータ及び前記取材メタデータを参照し、
前記第２装置と通信をすることで、前記ＯＡ送出素材情報を参照することにより、
前記対応情報を作成する
請求項１に記載の情報処理装置。
【請求項４】
作成手段が、所定の取材内容に従って取材された結果得られるデータである１以上の取材素材の各々と、前記１以上の取材素材が編集された結果得られるデータであるＯＡ素材とを対応付ける対応情報を作成する作成ステップを含み、
前記作成ステップの処理は、
前記取材内容を特定する取材ＩＤと、前記１以上の取材素材の各々を特定する素材情報ＩＤとを含むことによって、前記取材内容と前記１以上の取材素材の各々とを対応付けるリンク情報としての取材メタデータと、
前記取材内容に対応する前記ＯＡ素材を放送するための番組メタデータであって、前記取材ＩＤ、及び、放送対象の前記ＯＡ素材であることを特定するＯＡ送出情報ＩＤを含む番組メタデータと、
前記番組メタデータに従って放送される対象の前記ＯＡ素材に関するＯＡ送出素材情報であって、前記ＯＡ送出情報ＩＤ、及び前記ＯＡ素材自体を特定するＯＡ送出素材ＩＤを含むＯＡ送出素材情報と、
に基づいて、
前記ＯＡ送出素材ＩＤ、前記ＯＡ送出情報ＩＤ、前記取材ＩＤ、及び前記素材情報ＩＤを含む情報を、前記対応情報として作成する
処理である情報処理方法。
【請求項５】
所定の取材内容に従って取材された結果得られるデータである１以上の取材素材の各々と、前記１以上の取材素材が編集された結果得られるデータであるＯＡ素材とを対応付ける対応情報を作成する制御処理であって、
前記取材内容を特定する取材ＩＤと、前記１以上の取材素材の各々を特定する素材情報ＩＤとを含むことによって、前記取材内容と前記１以上の取材素材の各々とを対応付けるリンク情報としての取材メタデータと、
前記取材内容に対応する前記ＯＡ素材を放送するための番組メタデータであって、前記取材ＩＤ、及び、放送対象の前記ＯＡ素材であることを特定するＯＡ送出情報ＩＤを含む番組メタデータと、
前記番組メタデータに従って放送される対象の前記ＯＡ素材に関するＯＡ送出素材情報であって、前記ＯＡ送出情報ＩＤ、及び前記ＯＡ素材自体を特定するＯＡ送出素材ＩＤを含むＯＡ送出素材情報と、
に基づいて、
前記ＯＡ送出素材ＩＤ、前記ＯＡ送出情報ＩＤ、前記取材ＩＤ、及び前記素材情報ＩＤを含む情報を、前記対応情報として作成する
制御処理をコンピュータに実行させるプログラム。
【請求項６】
報道部門の装置が、取材内容を特定する取材ＩＤを含む取材メタデータを作成して、取材部門の装置に送信し、
取材部門の装置が、前記取材メタデータを受信して、前記取材内容に従って取材された結果得られる１以上のデータを取材素材として記録媒体に記録させ、
前記取材部門の装置が、前記取材メタデータに対して前記取材ＩＤに加えてさらに前記１以上の取材素材の各々を特定する素材情報ＩＤを含めることによって、前記取材内容と前記１以上の取材素材の各々とを対応付けるリンク情報としての取材メタデータとして、前記報道部門の装置に送信し、
前記報道部門の装置が、前記リンク情報としての取材メタデータを受信して記録し、
編集部門の装置が、前記記録媒体から取得した前記１以上の取材素材を編集し、その結果得られるデータをＯＡ素材として、送出部門の装置に送信し、
前記送出部門の装置が、前記ＯＡ素材と、放送対象の前記ＯＡ素材であることを特定するＯＡ送出情報ＩＤ、及び前記ＯＡ素材自体を特定するＯＡ送出素材ＩＤを含むＯＡ送出素材情報とを記録し、
前記報道部門の装置が、前記取材内容に対応する前記ＯＡ素材を放送するための番組メタデータであって、前記取材ＩＤを含む番組メタデータを作成して、前記送出部門の装置に送信し、
前記送出部門の装置が、前記番組メタデータに対して前記ＯＡ送出情報ＩＤを含め、前記ＯＡ送出情報ＩＤが含まれた番組メタデータを前記報道部門の装置に送信し、
前記報道部門の装置が、前記ＯＡ送出情報ＩＤが含まれた番組メタデータを記録し、
前記送出部門の装置が、前記ＯＡ送出情報ＩＤが含まれた番組メタデータに従って前記ＯＡ素材を放送した後、前記１以上の取材素材の各々と前記ＯＡ素材とを対応付ける対応情報として、前記報道部門の装置から取得された前記リンク情報としての取材メタデータ、及び前記番組メタデータ、並びに前記ＯＡ送出素材情報に基づいて、前記ＯＡ送出素材ＩＤ、前記ＯＡ送出情報ＩＤ、前記取材ＩＤ、及び前記素材情報ＩＤを含む情報を作成する
情報処理システム。
【請求項７】
報道部門の装置が、取材内容を特定する取材ＩＤを含む取材メタデータを作成して、取材部門の装置に送信し、
取材部門の装置が、前記取材メタデータを受信して、前記取材内容に従って取材された結果得られる１以上のデータを取材素材として記録媒体に記録させ、
前記取材部門の装置が、前記取材メタデータに対して前記取材ＩＤに加えてさらに前記１以上の取材素材の各々を特定する素材情報ＩＤを含めることによって、前記取材内容と前記１以上の取材素材の各々とを対応付けるリンク情報としての取材メタデータとして、前記取材素材が記録された前記記録媒体に併せて記録させ、
編集部門の装置が、前記記録媒体から取得した前記１以上の取材素材を編集し、その結果得られるデータをＯＡ素材として、送出部門の装置に送信し、
前記送出部門の装置が、前記ＯＡ素材と、放送対象の前記ＯＡ素材であることを特定するＯＡ送出情報ＩＤ、及び前記ＯＡ素材自体を特定するＯＡ送出素材ＩＤを含むＯＡ送出素材情報とを記録し、
前記編集部門の装置が、前記送出部門の装置の要求により、前記記録媒体から取得した前記リンク情報としての取材メタデータを前記送出部門の装置に送信し、
前記報道部門の装置が、前記送出部門の装置が受信した前記リンク情報としての取材メタデータを記録し、
前記報道部門の装置が、前記取材内容に対応する前記ＯＡ素材を放送するための番組メタデータであって、前記取材ＩＤを含む番組メタデータを作成して、前記送出部門の装置に送信し、
前記送出部門の装置が、前記番組メタデータに対して前記ＯＡ送出情報ＩＤを含め、前記ＯＡ送出情報ＩＤが含まれた番組メタデータを前記報道部門の装置に送信し、
前記報道部門の装置が、前記ＯＡ送出情報ＩＤが含まれた番組メタデータを記録し、
前記送出部門の装置が、前記ＯＡ送出情報ＩＤが含まれた番組メタデータに従って前記ＯＡ素材を放送した後、前記１以上の取材素材の各々と前記ＯＡ素材とを対応付ける対応情報として、前記報道部門の装置から取得された前記リンク情報としての取材メタデータ、及び前記番組メタデータ、並びに前記ＯＡ送出素材情報に基づいて、前記ＯＡ送出素材ＩＤ、前記ＯＡ送出情報ＩＤ、前記取材ＩＤ、及び前記素材情報ＩＤを含む情報を作成する
情報処理システム。
【発明の詳細な説明】
【技術分野】
【０００１】
本発明は、情報処理装置及び方法、プログラム、並びに情報処理システムに関し、特に、編集前後の素材のうち、一方から他方の検索が容易にできるようにした、情報処理装置及び方法、プログラム、並びに情報処理システムに関する。
【背景技術】
【０００２】
従来から、放送局や番組制作会社は、報道番組を制作して放送する場合、次のような一連の作業を行う。すなわち、番組制作のための事前準備に始まり、取材、取材によって得られたデータ（以下、取材素材と称する）の編集、編集後の取材素材（以下、ＯＡ（On Air）素材と称する）を用いた放送、放送されたＯＡ素材の保存までの一連の作業が行われる。このような一連の作業中においては、各作業を支援する各種各様の装置が用いられており、これらの装置からなるシステムは、一般的に報道支援システムと称されている。このような従来の報道支援システムは、例えば、特許文献１乃至３等に開示されている。
【０００３】
このような報道支援システムを用いることで、放送局や番組制作会社は、保存されたＯＡ素材の中から所望のＯＡ素材を検索することができる。
【先行技術文献】
【特許文献】
【０００４】
【特許文献１】特開２００２−７７８０７号公報
【特許文献２】特許第４４０４２４７号公報
【特許文献３】特開２００６−４２３１７号公報
【発明の概要】
【発明が解決しようとする課題】
【０００５】
しかしながら、特許文献１乃至３を含む従来の報道支援システムを用いたとしても、放送局や番組制作会社は、所定のＯＡ素材から、その編集前の取材素材を検索することは非常に困難であった。逆の場合、すなわち、所定の編集前の取材素材から、その編集後のＯＡ素材を検索する場合にも、その困難性は同様であった。さらに、以下、図１を参照して、編集前後の素材のうち、一方から他方の検索を行うことの困難性について説明する。
【０００６】
[従来の報道支援システム]
図１は、従来の報道支援システムの構成例を示すブロック図である。
【０００７】
図１に示されるように、従来の報道支援システム１は、報道部門１１、取材部門１２、編集部門１３、及び送出部門１４のそれぞれで用いられる装置により構成されている。
【０００８】
なお、報道部門１１、取材部門１２、編集部門１３、及び送出部門１４の各部門の各作業は、実際には、各部門に属する自然人によって、各部門に設けられた装置を用いて行われる。ただし、以下、説明の便宜上、各作業の動作主体は、各部門であるとする。
【０００９】
報道部門１１は、番組制作のための事前準備として、取材内容や番組内容等の作成を行う。このような事前準備を支援すべく、報道部門１１には、取材項目作成端末３１、番組項目作成端末３２、及び記録装置３３が設けられている。取材項目作成端末３１、番組項目作成端末３２、及び記録装置３３は、報道部門用ＬＡＮ（Local Area Network）３４により相互に接続されている。
【００１０】
取材部門１２は、報道部門１１が作成した取材内容に沿って取材を行う。このような取材を行うべく、取材部門１２には、撮像装置３５が設けられている。すなわち、撮像装置３５は、取材対象を撮像し、その結果得られるデータを取材素材として、リムーバブル記録媒体３６に記録する。
【００１１】
このような取材素材が記録されたリムーバブル記録媒体３６は、取材部門１２から編集部門１３に送られる。編集部門１３は、このリムーバブル記録媒体３６に記録された取材素材を編集して、ＯＡ素材を作成する。このような編集を行うべく、編集部門１３には、編集端末３７が設けられている。
【００１２】
送出部門１４は、編集部門１３が作成したＯＡ素材を用いて、報道番組を放送する。このような放送を行うべく、送出部門１４には、ＯＡサーバ管理端末３８、ＯＡサーバ３９、及び放送装置４０が設けられている。ＯＡサーバ管理端末３８は、報道部門用ＬＡＮ３４により、報道部門に設けられた各装置と相互に接続されている。ＯＡサーバ管理端末３８はまた、ＯＡサーバ３９とケーブル等により直接接続されている。ＯＡサーバ３９は、編集部門の編集端末３７と放送装置４０に直接接続されている。
【００１３】
次に、このような従来の報道支援システム１の処理の流れについて、図２を用いて説明する。
【００１４】
[従来の報道支援システム１の処理]
図２は、従来の報道支援システム１の処理の流れを説明するフローチャートである。
【００１５】
なお、報道部門１１と送出部門１４の処理は密接に関連していることから、以下、この２つの部門の処理はまとめて説明するものとし、報道／送出処理と称する。また、以下、取材部門１２の処理を取材処理と称し、編集部門１３の処理を編集処理と称する。
【００１６】
報道部門１１が、取材項目を決定し、その内容を取材項目作成端末３１に入力することで、報道／送出処理が開始される。取材項目は、取材場所、カメラマンの氏名等の各情報が羅列されたリストである。
【００１７】
すなわち、ステップＳ１において、取材項目作成端末３１は、報道部門１１により入力された内容に基づいて、取材項目のデータを作成する。
【００１８】
ステップＳ１においてデータとして作成された取材項目は、取材項目作成端末３１に接続されたプリンタ装置（図示せず）によって紙媒体に印刷され、報道部門１１から取材部門１２に対して手渡しされる。なお、ステップＳ２以降の処理については後述する。
【００１９】
取材部門１２は、手渡しされた取材項目に従って、取材対象の存在場所まで赴き、取材を開始する。すると、撮像装置３５によって、次のような取材処理が実行される。
【００２０】
ステップＳ２１において、撮像装置３５は、取材対象を撮像する。
【００２１】
ステップＳ２２において、撮像装置３５は、取材対象を撮像した結果得られるデータを、取材素材としてリムーバブル記録媒体３６に記録する。
【００２２】
これにより、取材処理は終了する。
【００２３】
取材処理が終了すると、取材部門１２は、取材素材が記録されたリムーバブル記録媒体３６を、撮像装置３５から取り外し、編集部門１３に手渡しする。編集部門１３は、このリムーバブル記録媒体３６を編集端末３７に挿入し、所定の操作、例えば編集開始の指示操作を編集端末３７に対して行うことで、次のような編集処理が開始される。
【００２４】
ステップＳ４１において、編集端末３７は、挿入されたリムーバブル記録媒体３６から取材素材を読み込む。
【００２５】
ステップＳ４２において、編集端末３７は、編集部門１３の指示に従って、取材素材を放送に適したデータとなるように編集する。
【００２６】
ステップＳ４３において、編集端末３７は、ステップＳ４２の処理の結果得られたデータを、ＯＡ素材として送出部門１４のＯＡサーバ３９に転送する。
【００２７】
これにより編集処理は終了する。
【００２８】
ここで、報道／送出処理の説明に戻る。編集処理のステップＳ４３の処理でＯＡ素材がＯＡサーバ３９に転送されるまでの間に、報道／送出処理では、次のステップＳ２及びステップＳ３の処理が実行される。
【００２９】
すなわち、上述したステップＳ１の処理で取材項目のデータが作成されると、当該取材項目のデータは、報道部門用ＬＡＮ３４を介して、取材項目作成端末３１から番組項目作成端末３２に送信される。これにより、処理はステップＳ２に進む。
【００３０】
ステップＳ２において、番組項目作成端末３２は、送信された取材項目のデータに基づいて、番組項目のデータを作成する。番組項目は、番組名、番組の放送日時等の各情報が羅列されたリストである。
【００３１】
ステップＳ３において、番組項目作成端末３２は、作成した番組項目のデータを、報道部門用ＬＡＮ３４を介して、送出部門１４のＯＡサーバ管理端末３８に転送する。
【００３２】
このように、ＯＡサーバ管理端末３８に対して、ステップＳ３の処理で番組項目のデータが転送され、上述した編集処理のステップＳ４３の処理でＯＡ素材が編集端末３７からＯＡサーバ３９に転送されてくると、処理はステップＳ４に進む。
【００３３】
ステップＳ４において、ＯＡサーバ３９は、転送されてきたＯＡ素材を受信して記録する。
【００３４】
ステップＳ５において、ＯＡサーバ管理端末３８は、ＯＡサーバ３９に記録されたＯＡ素材のＩＤ等を番組項目に登録して当該番組項目のデータを報道部門１１の記録装置３３に転送し、記録する。
【００３５】
その後、ＯＡサーバ管理端末３８は、記録装置３３に記録された番組項目のデータを監視し、当該番組項目に登録された番組の放送日時になると、OTC（one touch controller ）システムを用いて、当該番組項目に登録されたＩＤ等で特定されるＯＡ素材をＯＡサーバ３９から放送装置４０に送信する制御を実行する。OTCシステムとは、ボタン１つで番組の進行を制御するシステムである。したがって、ＯＡサーバ管理端末３８は、送出部門１４によりOTCシステムのボタンが押下されると、ＯＡ素材をＯＡサーバ３９から放送装置４０に送信させる。これにより、処理はステップＳ６に進む。
【００３６】
ステップＳ６において、放送装置４０は、ＯＡサーバ３９から送信されてきたＯＡ素材を用いて、報道番組を放送する。
【００３７】
これにより、報道／送出処理は終了する。
【００３８】
以上説明したように、従来の報道支援システム１では、編集後のＯＡ素材は、編集前の取材素材と何ら関連付けられていない。すなわち、従来、編集前の取材素材はリムーバブル記録媒体３６に記録されるのみであり、編集後のＯＡ素材は、そのリムーバブル記録媒体３６とは無関係に、ＯＡサーバ３９に記録されるのみである。このため、特許文献１乃至３を含む従来の報道支援システムを用いたとしても、各部門は、編集前の取材素材と編集後のＯＡ素材とのうち、一方から他方を検索することは非常に困難であった。
【００３９】
本発明は、このような状況に鑑みてなされたものであり、編集前後の素材のうち、一方から他方の検索を容易にできるようにしたものである。
【課題を解決するための手段】
【００４０】
本発明の一側面の情報処理装置は、所定の取材内容に従って取材された結果得られるデータである１以上の取材素材の各々と、前記１以上の取材素材が編集された結果得られるデータであるＯＡ素材とを対応付ける対応情報を作成する作成手段を備え、前記作成手段は、前記取材内容を特定する取材ＩＤと、前記１以上の取材素材の各々を特定する素材情報ＩＤとを含むことによって、前記取材内容と前記１以上の取材素材の各々とを対応付けるリンク情報としての取材メタデータと、前記取材内容に対応する前記ＯＡ素材を放送するための番組メタデータであって、前記取材ＩＤ、及び、放送対象の前記ＯＡ素材であることを特定するＯＡ送出情報ＩＤを含む番組メタデータと、前記番組メタデータに従って放送される対象の前記ＯＡ素材に関するＯＡ送出素材情報であって、前記ＯＡ送出情報ＩＤ、及び前記ＯＡ素材自体を特定するＯＡ送出素材ＩＤを含むＯＡ送出素材情報と、に基づいて、前記ＯＡ送出素材ＩＤ、前記ＯＡ送出情報ＩＤ、前記取材ＩＤ、及び前記素材情報ＩＤを含む情報を、前記対応情報として作成する。
【００４１】
前記取材メタデータは、取材時に前記取材素材が記録された記録媒体とは別に、第１装置に記録されており、前記番組メタデータは、前記第１装置に記録されており、前記ＯＡ送出素材情報は、前記ＯＡ素材が記録されている第２装置に記録されており、前記作成手段は、前記第１装置と通信をすることで、前記取材メタデータ及び前記番組メタデータを参照し、前記第２装置と通信をすることで、前記ＯＡ送出素材情報を参照することにより、前記対応情報を作成することができる。
【００４２】
前記番組メタデータは、第１装置に記録されており、前記取材メタデータは、取材時に前記取材素材が記録された記録媒体に併せて記録され、前記記録媒体を介して前記第１装置に記録されており、前記ＯＡ送出素材情報は、前記ＯＡ素材が記録されている第２装置に記録されており、前記作成手段は、前記第１装置と通信をすることで、前記番組メタデータ及び前記取材メタデータを参照し、前記第２装置と通信をすることで、前記ＯＡ送出素材情報を参照することにより、前記対応情報を作成することができる。
【００４３】
本発明の一側面の情報処理方法及びプログラムは、上述した本発明の一側面の情報処理装置に対応する方法及びプログラムである。
【００４４】
本発明の一側面の情報処理装置及び方法並びにプログラムにおいては、所定の取材内容に従って取材された結果得られるデータである１以上の取材素材の各々と、前記１以上の取材素材が編集された結果得られるデータであるＯＡ素材とが対応付けられる対応情報が作成される。前記取材内容を特定する取材ＩＤと、前記１以上の取材素材の各々を特定する素材情報ＩＤとが含まれることによって、前記取材内容と前記１以上の取材素材の各々とが対応付けられるリンク情報としての取材メタデータと、前記取材内容に対応する前記ＯＡ素材を放送するための番組メタデータであって、前記取材ＩＤ、及び、放送対象の前記ＯＡ素材であることを特定するＯＡ送出情報ＩＤが含まれる番組メタデータと、前記番組メタデータに従って放送される対象の前記ＯＡ素材に関するＯＡ送出素材情報であって、前記ＯＡ送出情報ＩＤ、及び前記ＯＡ素材自体を特定するＯＡ送出素材ＩＤが含まれるＯＡ送出素材情報と、に基づいて、前記ＯＡ送出素材ＩＤ、前記ＯＡ送出情報ＩＤ、前記取材ＩＤ、及び前記素材情報ＩＤが含まれる情報が、前記対応情報として作成される。
【００４５】
本発明の一側面の情報処理システムは、報道部門の装置が、取材内容を特定する取材ＩＤを含む取材メタデータを作成して、取材部門の装置に送信し、取材部門の装置が、前記取材メタデータを受信して、前記取材内容に従って取材された結果得られる１以上のデータを取材素材として記録媒体に記録させ、前記取材部門の装置が、前記取材メタデータに対して前記取材ＩＤに加えてさらに前記１以上の取材素材の各々を特定する素材情報ＩＤを含めることによって、前記取材内容と前記１以上の取材素材の各々とを対応付けるリンク情報としての取材メタデータとして、前記報道部門の装置に送信し、前記報道部門の装置が、前記リンク情報としての取材メタデータを受信して記録し、編集部門の装置が、前記記録媒体から取得した前記１以上の取材素材を編集し、その結果得られるデータをＯＡ素材として、送出部門の装置に送信し、前記送出部門の装置が、前記ＯＡ素材と、放送対象の前記ＯＡ素材であることを特定するＯＡ送出情報ＩＤ、及び前記ＯＡ素材自体を特定するＯＡ送出素材ＩＤを含むＯＡ送出素材情報とを記録し、前記報道部門の装置が、前記取材内容に対応する前記ＯＡ素材を放送するための番組メタデータであって、前記取材ＩＤを含む番組メタデータを作成して、前記送出部門の装置に送信し、前記送出部門の装置が、前記番組メタデータに対して前記ＯＡ送出情報ＩＤを含め、前記ＯＡ送出情報ＩＤが含まれた番組メタデータを前記報道部門の装置に送信し、前記報道部門の装置が、前記ＯＡ送出情報ＩＤが含まれた番組メタデータを記録し、前記送出部門の装置が、前記ＯＡ送出情報ＩＤが含まれた番組メタデータに従って前記ＯＡ素材を放送した後、前記１以上の取材素材の各々と前記ＯＡ素材とを対応付ける対応情報として、前記報道部門の装置から取得された前記リンク情報としての取材メタデータ、及び前記番組メタデータ、並びに前記ＯＡ送出素材情報に基づいて、前記ＯＡ送出素材ＩＤ、前記ＯＡ送出情報ＩＤ、前記取材ＩＤ、及び前記素材情報ＩＤを含む情報を作成する。
【００４６】
本発明の一側面の情報処理システムにおいては、報道部門の装置により、取材内容が特定される取材ＩＤが含まれる取材メタデータが作成されて、取材部門の装置に送信される。取材部門の装置により、前記取材メタデータが受信されて、前記取材内容に従って取材された結果得られる１以上のデータが取材素材として記録媒体に記録される。前記取材部門の装置により、前記取材メタデータに対して前記取材ＩＤに加えてさらに前記１以上の取材素材の各々が特定される素材情報ＩＤが含められることによって、前記取材内容と前記１以上の取材素材の各々とが対応付けられるリンク情報としての取材メタデータとして、前記報道部門の装置に送信される。前記報道部門の装置により、前記リンク情報としての取材メタデータが受信されて記録される。編集部門の装置により、前記記録媒体から取得された前記１以上の取材素材が編集され、その結果得られるデータがＯＡ素材として、送出部門の装置に送信される。前記送出部門の装置により、前記ＯＡ素材と、放送対象の前記ＯＡ素材であることが特定されるＯＡ送出情報ＩＤ、及び前記ＯＡ素材自体が特定されるＯＡ送出素材ＩＤが含まれるＯＡ送出素材情報とが記録される。前記報道部門の装置により、前記取材内容に対応する前記ＯＡ素材が放送されるための番組メタデータであって、前記取材ＩＤが含まれる番組メタデータが作成されて、前記送出部門の装置に送信される。前記送出部門の装置により、前記番組メタデータに対して前記ＯＡ送出情報ＩＤが含められ、前記ＯＡ送出情報ＩＤが含まれた番組メタデータが前記報道部門の装置に送信される。前記報道部門の装置により、前記ＯＡ送出情報ＩＤが含まれた番組メタデータが記録される。前記送出部門の装置により、前記ＯＡ送出情報ＩＤが含まれた番組メタデータに従って前記ＯＡ素材が放送された後、前記１以上の取材素材の各々と前記ＯＡ素材とが対応付けられる対応情報として、前記報道部門の装置から取得された前記リンク情報としての取材メタデータ、及び前記番組メタデータ、並びに前記ＯＡ送出素材情報に基づいて、前記ＯＡ送出素材ＩＤ、前記ＯＡ送出情報ＩＤ、前記取材ＩＤ、及び前記素材情報ＩＤを含む情報が作成される。
【００４７】
本発明の一側面の情報処理システムは、報道部門の装置が、取材内容を特定する取材ＩＤを含む取材メタデータを作成して、取材部門の装置に送信し、取材部門の装置が、前記取材メタデータを受信して、前記取材内容に従って取材された結果得られる１以上のデータを取材素材として記録媒体に記録させ、前記取材部門の装置が、前記取材メタデータに対して前記取材ＩＤに加えてさらに前記１以上の取材素材の各々を特定する素材情報ＩＤを含めることによって、前記取材内容と前記１以上の取材素材の各々とを対応付けるリンク情報としての取材メタデータとして、前記取材素材が記録された前記記録媒体に併せて記録させ、編集部門の装置が、前記記録媒体から取得した前記１以上の取材素材を編集し、その結果得られるデータをＯＡ素材として、送出部門の装置に送信し、前記送出部門の装置が、前記ＯＡ素材と、放送対象の前記ＯＡ素材であることを特定するＯＡ送出情報ＩＤ、及び前記ＯＡ素材自体を特定するＯＡ送出素材ＩＤを含むＯＡ送出素材情報とを記録し、前記編集部門の装置が、前記送出部門の装置の要求により、前記記録媒体から取得した前記リンク情報としての取材メタデータを前記送出部門の装置に送信し、前記報道部門の装置が、前記送出部門の装置が受信した前記リンク情報としての取材メタデータを記録し、前記報道部門の装置が、前記取材内容に対応する前記ＯＡ素材を放送するための番組メタデータであって、前記取材ＩＤを含む番組メタデータを作成して、前記送出部門の装置に送信し、前記送出部門の装置が、前記番組メタデータに対して前記ＯＡ送出情報ＩＤを含め、前記ＯＡ送出情報ＩＤが含まれた番組メタデータを前記報道部門の装置に送信し、前記報道部門の装置は、前記ＯＡ送出情報ＩＤが含まれた番組メタデータを記録し、前記送出部門の装置が、前記ＯＡ送出情報ＩＤが含まれた番組メタデータに従って前記ＯＡ素材を放送した後、前記１以上の取材素材の各々と前記ＯＡ素材とを対応付ける対応情報として、前記報道部門の装置から取得された前記リンク情報としての取材メタデータ、及び前記番組メタデータ、並びに前記ＯＡ送出素材情報に基づいて、前記ＯＡ送出素材ＩＤ、前記ＯＡ送出情報ＩＤ、前記取材ＩＤ、及び前記素材情報ＩＤを含む情報を作成する。
【００４８】
本発明の一側面の情報処理システムにおいては、報道部門の装置により、取材内容が特定される取材ＩＤが含まれる取材メタデータが作成されて、取材部門の装置に送信される。取材部門の装置により、前記取材メタデータが受信されて、前記取材内容に従って取材された結果得られる１以上のデータが取材素材として記録媒体に記録される。前記取材部門の装置により、前記取材メタデータに対して前記取材ＩＤに加えてさらに前記１以上の取材素材の各々を特定する素材情報ＩＤが含められることによって、前記取材内容と前記１以上の取材素材の各々とが対応付けられるリンク情報としての取材メタデータとして、前記取材素材が記録された前記記録媒体に併せて記録される。編集部門の装置により、前記記録媒体から取得された前記１以上の取材素材が編集され、その結果得られるデータがＯＡ素材として、送出部門の装置に送信される。前記送出部門の装置により、前記ＯＡ素材と、放送対象の前記ＯＡ素材であることが特定されるＯＡ送出情報ＩＤ、及び前記ＯＡ素材自体を特定するＯＡ送出素材ＩＤが含まれるＯＡ送出素材情報とが記録される。前記編集部門の装置により、前記送出部門の装置の要求にしたがって、前記記録媒体から取得された前記リンク情報としての取材メタデータが前記送出部門の装置に送信される。前記報道部門の装置により、前記送出部門の装置が受信した前記リンク情報としての取材メタデータが記録される。前記報道部門の装置により、前記取材内容に対応する前記ＯＡ素材が放送されるための番組メタデータであって、前記取材ＩＤが含まれる番組メタデータが作成されて、前記送出部門の装置に送信される。前記送出部門の装置により、前記番組メタデータに対して前記ＯＡ送出情報ＩＤが含められ、前記ＯＡ送出情報ＩＤが含まれた番組メタデータが前記報道部門の装置に送信される。前記報道部門の装置により、前記ＯＡ送出情報ＩＤが含まれた番組メタデータが記録される。前記送出部門の装置により、前記ＯＡ送出情報ＩＤが含まれた番組メタデータに従って前記ＯＡ素材が放送された後、前記１以上の取材素材の各々と前記ＯＡ素材とが対応付けられる対応情報として、前記報道部門の装置から取得された前記リンク情報としての取材メタデータ、及び前記番組メタデータ、並びに前記ＯＡ送出素材情報に基づいて、前記ＯＡ送出素材ＩＤ、前記ＯＡ送出情報ＩＤ、前記取材ＩＤ、及び前記素材情報ＩＤが含まれる情報が作成される。
【発明の効果】
【００４９】
以上のごとく、本発明によれば、編集前後の素材のうち、一方から他方の検索が容易にすることができる。
【図面の簡単な説明】
【００５０】
【図１】従来の報道支援システムの構成例を示すブロック図である。
【図２】従来の報道支援システムの処理の流れを説明するフローチャートである。
【図３】第１実施形態の報道支援システムの構成例を示すブロック図である。
【図４】報道部門の機能的構成例を示すブロック図である。
【図５】取材部門の機能的構成例を示すブロック図である。
【図６】編集部門の機能的構成例を示すブロック図である。
【図７】送出部門の機能的構成例を示すブロック図である。
【図８】アーカイブ部門の機能的構成例を示すブロック図である。
【図９】報道支援システムで用いられる各データの流れの概略を示す図である。
【図１０】報道支援システムで用いられる各データの構造例を示す図である。
【図１１】報道支援システムにおいて用いられる各データが関連付けられた様子を説明する図である。
【図１２】報道／送出処理の流れを説明するフローチャートである。
【図１３】取材処理の流れを説明するフローチャートである。
【図１４】編集処理の流れを説明するフローチャートである。
【図１５】アーカイブ処理の流れを説明するフローチャートである。
【図１６】第２実施形態の報道支援システムの構成例を示すブロック図である。
【図１７】報道部門の機能的構成例を示すブロック図である。
【図１８】取材部門の機能的構成例を示すブロック図である。
【図１９】編集部門の機能的構成例を示すブロック図である。
【図２０】送出部門の機能的構成例を示すブロック図である。
【図２１】アーカイブ部門の機能的構成例を示すブロック図である。
【図２２】報道支援システムで用いられる各データの流れの概略を示す図である。
【図２３】報道／送出処理の流れを説明するフローチャートである。
【図２４】取材処理の流れを説明するフローチャートである。
【図２５】編集処理の流れを説明するフローチャートである。
【図２６】アーカイブ処理の流れを説明するフローチャートである。
【図２７】本発明が適用される情報処理装置のハードウエアの構成例を示すブロック図である。
【発明を実施するための形態】
【００５１】
本発明が適用される報道支援システムとして、２つの実施形態（以下、それぞれ第１実施形態及び第２実施形態と称する）について、次の順序で説明する。
【００５２】
１．第１実施形態（取材部門から報道部門へリンク情報を転送する例）
２．第２実施形態（素材サーバを監視する例）
【００５３】
＜１．第１実施形態＞
[第１実施形態の報道支援システムの構成例]
図３は、第１実施形態の報道支援システムの構成例を示すブロック図である。
【００５４】
図３に示されるように、第１実施形態の報道支援システム６１は、報道部門７１、取材部門７２、編集部門７３、送出部門７４、及びアーカイブ部門７５のそれぞれで用いられる装置により構成されている。
【００５５】
なお、報道部門７１、取材部門７２、編集部門７３、送出部門７４、及びアーカイブ部門７５の各部門の各作業は、実際には、各部門に属する自然人によって、各部門に設けられた装置を用いて行われる。ただし、以下、説明の便宜上、各作業の動作主体は、各部門であるとする。
【００５６】
報道部門７１は、番組制作のための事前準備として、取材内容や番組内容等の作成を行う。このような事前準備を支援すべく、報道部門７１には、取材項目作成端末９１、番組項目作成端末９２、及び記録装置９３が設けられている。取材項目作成端末９１、番組項目作成端末９２、及び記録装置９３は、報道部門用ＬＡＮ９４により相互に接続されている。報道部門用ＬＡＮ９４はまた、インターネット等の所定の外部ネットワーク１１１に接続している。従って、取材項目作成端末９１、番組項目作成端末９２、及び記録装置９３の各々は、報道部門用ＬＡＮ９４を介して、相互に通信を行うこともできるし、外部ネットワーク１１１に接続された他の機器と通信を行うこともできる。詳細については後述するが、例えば本実施形態では、取材項目作成端末９１は、取材内容に関する各種情報のデータ（以下、取材メタデータと称する）を、外部ネットワーク１１１を介してフィールド端末９５に転送する。
【００５７】
取材部門７２は、報道部門７１が作成した取材内容に沿って取材を行う。このような取材を行うべく、取材部門７２には、フィールド端末９５、及び撮像装置９６が設けられている。すなわち、フィールド端末９５及び撮像装置９６は、自在に持ち運び可能とされており、外部ネットワーク１１１に接続することで、当該外部ネットワーク１１１に接続された他の機器と通信を行うことができる。また、フィールド端末９５及び撮像装置９６は、赤外線通信等により、相互に無線通信を行うことができる。詳細については後述するが、例えば本実施形態では、フィールド端末９５は、取材場所において、取材項目作成端末９１から外部ネットワーク１１１を介して転送されてきた取材メタデータを受信する。フィールド端末９５は、当該取材メタデータを用いて、報道部門７１が作成した取材内容と、取材素材とを関連付ける情報（以下、リンク情報と称する）の元になるデータ（以下、リンク情報元データと称する）を作成し、撮像装置９６に無線送信する。撮像装置９６は、そのリンク情報元データに従って、取材場所で取材対象を撮像し、その結果得られるデータを取材素材として、リムーバブル記録媒体９７に記録する。撮像装置９６はまた、リンク情報元データからリンク情報を作成し、取材メタデータの１つとして、外部ネットワーク１１１を介して報道部門７１の記録装置９３に転送する。
【００５８】
一方、取材素材が記録されたリムーバブル記録媒体９７は、取材部門７２から編集部門７３に送られる。編集部門７３は、このリムーバブル記録媒体９７に記録された取材素材を編集して、ＯＡ素材を作成する。このような編集を行うべく、編集部門７３には、編集端末９８、及び素材サーバ９９が設けられている。編集端末９８は、素材サーバ９９、及び送出部門７４のＯＡサーバ１０１とケーブル等により直接接続されている。詳細については後述するが、例えば本実施形態では、編集端末９８は、報道部門７１が作成した番組内容と、ＯＡ素材とを関連付けるための要素を含むＯＡ素材を作成し、送出部門７４のＯＡサーバ１０１に転送する。
【００５９】
送出部門７４は、編集部門７３が作成したＯＡ素材を用いて、報道番組を放送する。このような放送を行うべく、送出部門７４には、ＯＡサーバ管理端末１００、ＯＡサーバ１０１、及び放送装置１０２が設けられている。ＯＡサーバ管理端末１００は、報道部門用ＬＡＮ９４により、報道部門７１に設けられた各装置と相互に接続されている。ＯＡサーバ管理端末１００はまた、ＯＡサーバ１０１とケーブル等により直接接続されている。ＯＡサーバ１０１は、放送装置１０２、編集部門７３の編集端末９８、及びアーカイブ部門７５のアーカイブ装置１０４に直接接続されている。また、放送装置１０２は、OTCシステムを構築している。詳細については後述するが、例えば本実施形態では、ＯＡサーバ管理端末１００は、ＯＡ素材と報道部門７１が作成した番組内容を関連付ける。また、ＯＡサーバ管理端末１００は、ＯＡ素材と、当該ＯＡ素材の編集前の取材素材とを関連付ける各種情報が各要素として羅列されたリストであるアーカイブリストを作成し、アーカイブ部門７５のアーカイブ管理端末１０３に転送する。
【００６０】
アーカイブ部門７５は、アーカイブリストに従って、取材素材とＯＡ素材を保存する。このような保存を行うべく、アーカイブ部門７５には、アーカイブ管理端末１０３、及びアーカイブ装置１０４が設けられている。アーカイブ管理端末１０３、及びアーカイブ装置１０４は、アーカイブ部門用ＬＡＮ１０５により相互に接続されている。アーカイブ装置１０４はまた、編集部門７３の素材サーバ９９、及び送出部門７４のＯＡサーバ１０１に直接接続されている。詳細については後述するが、例えば本実施形態では、アーカイブ管理端末１０３は、アーカイブリストに従って、取材素材とＯＡ素材を、それぞれ素材サーバ９９とＯＡサーバ１０１から転送させる。そして、アーカイブ管理端末１０３は、ＯＡ素材と取材素材とを関連付けて保存する。
【００６１】
次に、このような報道支援システム６１の機能的構成例について、図４乃至図８を用いて説明する。
【００６２】
[報道支援システム６１の各部門の機能的構成例]
図４乃至図８は、報道支援システム６１を構成するそれぞれの部門の機能的構成例を示すブロック図である。
【００６３】
図４は、報道部門７１の機能的構成例を示すブロック図である。
【００６４】
取材項目作成端末９１は、取材項目作成部１２１、及び取材項目転送部１２２を有している。番組項目作成端末９２は、番組項目作成部１２４を有している。記録装置９３は、リンク情報記録部１２３を有している。
【００６５】
図５は、取材部門７２の機能的構成例を示すブロック図である。
【００６６】
フィールド端末９５は、リンク情報作成部１３１を有している。撮像装置９６は、取材実行部１３２、及び取材素材登録部１３３を有している。
【００６７】
図６は、編集部門７３の機能的構成例を示すブロック図である。
【００６８】
編集端末９８は、取材素材取得部１４１、編集部１４２、及びＯＡ素材転送部１４３を有している。
【００６９】
図７は、送出部門７４の機能的構成例を示すブロック図である。
【００７０】
ＯＡサーバ管理端末１００は、ＯＡ素材登録部１５１、及び作成手段としてのアーカイブリスト作成部１５３を有している。放送装置１０２は、番組放送部１５２を有している。
【００７１】
図８は、アーカイブ部門７５の機能的構成例を示すブロック図である。
【００７２】
アーカイブ管理端末１０３は、ＯＡ素材転送部１６１、取材素材転送部１６２、及び検索部１６４を有している。アーカイブ装置１０４は、アーカイブ実行部１６３、及びリストア部１６５を有している。
【００７３】
このような報道支援システム６１の各構成部の機能を、図９に示される報道支援システム６１のデータの流れと合わせて説明する。
【００７４】
[報道支援システム６１のデータの説明]
図９は、報道支援システム６１で用いられる各データの流れの概略を示す図である。
【００７５】
図９において、一点鎖線で表わされる矢印は、取材メタデータの流れを示している。点線で表わされる矢印は、取材素材の流れを示している。二重線で表わされる矢印は番組メタデータの流れを示している。実線で表わされる矢印は、ＯＡ素材のデータの流れを示している。
【００７６】
[報道支援システム６１のデータの構造例]
図１０は、報道支援システム６１において用いられる各データ、すなわち図９に流れが示されている各データの構造例を示す図である。
【００７７】
図１０に示されるように、本実施形態では、取材メタデータ１８１の１つとして、取材項目１９１が存在する。取材項目１９１は、当該取材項目１９１を一意に特定することが可能な取材ＩＤの他、取材項目名、取材場所、カメラマン等の取材に関する各種情報が、各要素として羅列されたリストである。報道部門７１は、取材項目１９１の各要素を決定し、その内容を取材項目作成端末９１に入力する。すると、取材項目作成端末９１の取材項目作成部１２１は、報道部門７１による入力内容に基づいて、取材項目１９１のデータを作成する。
【００７８】
取材項目作成端末９１の取材項目転送部１２２は、図９に示されるように、取材項目１９１のデータを、報道部門用ＬＡＮ９４及び外部ネットワーク１１１を介して、取材部門７２のフィールド端末９５に転送する。
【００７９】
フィールド端末９５のリンク情報作成部１３１は、取材項目１９１のデータが取材項目作成端末９１から転送されてきた場合、取材項目１９１と取材素材とを関連付けるリンク情報の元となるリンク情報元データを作成する。
【００８０】
リンク情報の形態は特に限定されないが、本実施形態では、図１０に示される取材現場メタ情報１９２がリンク情報として採用されている。図１０に示されるように、取材現場メタ情報１９２には、当該取材現場メタ情報１９２を一意に特定することが可能な取材現場メタＩＤ、取材項目１９１の各要素に加えてさらに、取材素材１８２−１乃至１８２−ｎの各々についての素材情報ＩＤが要素として羅列されたリストである。ここで、本実施形態では、記録の開始指示から終了指示がなされるまでに撮像装置９６により撮像された結果得られるデータが、１つの取材対象とされている。このため、１つの取材項目１９１に対して、ｎ個（ｎは１以上の任意の整数値）の取材素材１８２−１乃至１８２−ｎが得られる。したがって、取材素材１８２−１乃至１８２−ｎの各々についての素材情報ＩＤが複数用意される。なお、この段階では、取材素材１８２−１乃至１８２−ｎは得られていないので、素材情報ＩＤの空項目（すなわち、データが未格納な領域）だけを作成する。すなわち、素材情報ＩＤの項目が空項目（すなわち、データが未格納な領域）の状態の取材現場メタ情報１９２が、リンク情報元データである。従って、詳細については後述するが、撮像装置９６により取材対象が撮像されて、その結果取材素材１８２−１乃至１８２−ｎが得られた段階で、取材素材１８２−１乃至１８２−ｎの各々に含まれている素材情報ＩＤが、リンク情報元データである取材現場メタ情報１９２の空項目（すなわち、データが未格納な領域）に格納（すなわち、登録）されると、リンク情報のデータが完成する。ただし、以下、説明の便宜上、ｎ＝２であるとする。すなわち、図１０に示されるように、撮像装置９６により得られる取材素材は取材素材１８２−１及び１８２−２の２つであるとする。
【００８１】
フィールド端末９５のリンク情報作成部１３１は、このようなリンク情報元データ、すなわち本実施形態では素材情報ＩＤの項目に空項目（すなわち、データが未格納な領域）を有する取材現場メタ情報１９２のデータを作成すると、撮像装置９６に送信する。
【００８２】
撮像装置９６の取材実行部１３２は、リンク情報元データを受信すると、取材場所において、取材部門７２の指示（すなわち、カメラマンの操作）に従って、取材を実行する。すなわち、取材実行部１３２は、取材対象を撮像し、その結果得られる取材素材１８２−１及び１８２−２をリムーバブル記録媒体９７に記録する。
【００８３】
取材素材１８２−Ｋ（Ｋは、１または２）は、ＡＶデータ２３１−Ｋと取材素材情報２３２−Ｋとから構成されている。ＡＶデータ２３１−Ｋは、取材対象についての映像及び音声の実データである。取材素材情報２３２−Ｋは、当該取材素材１８２−Ｋに関する各種要素が羅列されたリストである。本実施形態においては、図１０に示されるように、取材素材情報２３２−Ｋには、当該取材素材１８２−Ｋを一意に特定することが可能な素材情報ＩＤの他、作成日時、取材素材名、ステータス等が要素として含まれている。
【００８４】
撮像装置９６の取材素材登録部１３３は、取材素材１８２−１及び１８２−２の素材情報ＩＤ１及び素材情報ＩＤ２を、取材現場メタ情報１９２の空項目（すなわち、データが未格納な領域）に格納（すなわち、登録）する。これにより、リンク情報、すなわち取材現場メタ情報１９２は完成することになる。
【００８５】
ここで、取材項目１９１の要素としては、取材ＩＤが含まれている。よって、取材現場メタ情報１９２は、取材項目１９１の取材ＩＤと、取材素材１８２−１及び１８２−２の各々についての素材情報ＩＤ１及び素材情報ＩＤ２を含むことによって、取材項目１９１と取材素材１８２−１及び１８２−２の各々とを関連付けている。また、視点を変えると、取材現場メタ情報１９２は、取材項目１９１の各要素を含んでいることから、取材メタデータ１８１の１つであると把握することもできる。
【００８６】
撮像装置９６の取材素材登録部１３３は、このようなリンク情報、すなわち本実施形態では取材現場メタ情報１９２を作成すると、リンク情報（すなわち、取材現場メタ情報１９２）のデータを、外部ネットワーク１１１及び報道部門用ＬＡＮ９４を介して、報道部門７１の記録装置９３に転送する。
【００８７】
記録装置９３のリンク情報記録部１２３は、リンク情報（すなわち、取材現場メタ情報１９２）を受信すると、記録装置９３に記録する。
【００８８】
報道部門７１は、このようにしてリンク情報（すなわち、取材現場メタ情報１９２）が記録されると、すなわち報道番組の作成に必要な情報が得られると、当該報道番組の番組内容を作成する。
【００８９】
具体的には先ず、報道部門７１は、当該報道番組を特定可能な情報を作成する。このような情報としては、例えば、当該報道番組を一意に特定可能なＩＤ（以下、番組ＩＤと称する）、当該報道番組の名称（以下、番組名と称する）、当該報道番組の放送時間帯（本実施形態では、開始時刻と終了時刻とで示される）等が存在する。これらの報道番組を特定可能な各種情報が要素として羅列されたリストを、以下、番組情報と称する。本実施形態では、報道部門７１は、例えば図１０に示されるような番組情報２６１を作成する。
【００９０】
すなわち、報道部門７１は、番組情報２６１の各要素を決定し、その内容を番組項目作成端末９２に入力する。すると、番組項目作成端末９２の番組項目作成部１２４は、報道部門７１による入力内容に基づいて、番組情報２６１のデータを作成する。
【００９１】
次に、報道部門７１は、当該報道番組に含めるｍ個（ｍは、１以上の整数値）の取材内容を決定し、それらを如何にして放送するのか、例えば放送順番等を決定する。ここで、１つの取材内容を如何にして放送するのかを決定付ける各種情報が、各要素として羅列されたリストを、番組項目と称する。本実施形態では、報道部門７１は、例えば番組情報２６１に属するｍ個の番組項目２７１を作成する。ただし、以下、説明の便宜上、ｍ個の番組情報のうち、図１０に図示される取材項目１９１により特定される取材内容に対応する１つの番組項目２７１についてのみ説明する。すなわち、図１０に図示されている番組項目２７１は、図１０に図示される取材項目１９１に対応している。換言すると、図１０には、説明の便宜上、１つの番組項目２７１のみが図示されているが、実際には、ｍ個の番組項目２７１が存在する。
【００９２】
番組項目２７１の要素としては、項目ＩＤ、番組ＩＤ、項目順番、項目名、項目Ｎｏ、取材ＩＤ等が存在する。項目ＩＤは、当該番組項目２７１を一意に特定することが可能なＩＤである。番組ＩＤは、当該番組項目２７１が属する番組情報２６１の番組ＩＤである。すなわち、番組ＩＤにより、番組情報２６１と番組項目２７１とが関連付けられる（すなわち、リンクする）。項目順番は、当該番組項目２７１に対応する取材内容の放送順番である。項目名は、当該番組項目２７１の名称である。項目Ｎｏは、当該番組項目２７１に付された番号である。取材ＩＤは、当該番組項目２７１に対応する取材内容についての取材項目１９１の取材ＩＤである。すなわち、取材ＩＤにより、番組項目２７１と、それに対応する取材項目１９１とが関連付けられる（すなわち、リンクする）。
【００９３】
報道部門７１は、このような番組項目２７１の各要素を決定し、その内容を番組項目作成端末９２に入力する。すると、番組項目作成端末９２の番組項目作成部１２４は、報道部門７１による入力内容に基づいて、番組項目２７１のデータを作成する。
【００９４】
ここで、図１０の例では、番組項目２７１に対応する取材項目１９１に従って実行された取材においては、２個の取材素材１８２−１及び１８２−２が得られている。ただし、報道番組内で放送される素材は、これら２個の取材素材１８２−１及び１８２−２そのものではなく、編集部門７３において編集された後のＯＡ素材である。詳細については後述するが、図１０の例では、２個の取材素材１８２−１及び１８２−２が編集された結果として、１個のＯＡ素材１８４が得られる。従って、図１０の例では、番組項目２７１に従って放送される対象は、１個のＯＡ素材１８４となる。
【００９５】
報道部門７１は、さらに、番組項目２７１に従ってＯＡ素材１８４を放送する場合に、それを如何にして放送するのかを決定する。ここで、ＯＡ素材１８４を如何にして放送するのかを決定付ける各種情報が、各要素として羅列されたリストを、番組構成と称する。図１０の例では、報道部門７１は、番組項目２７１に対して、ＯＡ素材１８４についての番組構成２８１を作成する。
【００９６】
ＯＡ素材１８４についての番組構成２８１の要素としては、構成ＩＤ、項目ＩＤ、構成順番、構成名、ＯＡ送出情報ＩＤ等が存在する。構成ＩＤは、当該番組構成２８１を一意に特定することが可能なＩＤである。項目ＩＤは、当該番組構成２８１が属する番組項目２７１の項目ＩＤである。すなわち、項目ＩＤにより、番組項目２７１と番組構成２８１とが関連付けられる（すなわち、リンクする）。構成順番は、当該番組構成２８１の放送順番である。すなわち、図１０の例では説明の便宜上、番組項目２７１に対して１つの番組構成２８１が存在するが、複数の番組構成２８１が存在する場合があり、これら複数の番組構成２８１の放送順番が、構成順番になる。構成名は、当該番組構成２８１の名称である。ＯＡ送出情報ＩＤは、当該番組構成２８１に従って放送されるＯＡ素材に対して一意に付されるＩＤであって、対応するＯＡ素材１８４にも付されている。すなわち、ＯＡ送出情報ＩＤにより、番組構成２８１と、それに対応するＯＡ素材１８４とが関連付けられる（すなわち、リンクする）。
【００９７】
ただし、本実施形態では、このような番組構成２８１が作成された段階で、対応するＯＡ素材１８４が作成されていない場合がある。すなわち、この段階では、報道部門７１は、既に得られている取材素材１８２が編集されたならば得られるであろうＯＡ素材１８４を、番組構成２８１に従って放送させることまでを決定する。このため、番組項目作成部１２４は、番組構成２８１のうち、ＯＡ送出情報ＩＤを格納可能な空項目（すなわち、データが未格納な領域）だけ作成して、実際の値を格納（すなわち、登録）しない。すなわち、詳細については後述するが、番組構成２８１に従って放送される予定のＯＡ素材１８４が、送出部門７４のＯＡサーバ１０１に格納された段階で、当該ＯＡ素材１８４に含まれているＯＡ送出情報ＩＤが、番組構成２８１の空項目（すなわち、データが未格納な領域）に格納（すなわち、登録）される。
【００９８】
このようにして、報道番組の番組内容として、番組情報２６１が作成され、当該番組情報２６１に属する番組項目２７１が作成される。そして、当該番組項目２７１に対して、番組構成２８１が作成される。なお、このような報道番組の番組内容に関する各種情報からなるデータを、番組メタデータ１８３と称する。番組項目作成部１２４は、このようにして作成した番組メタデータ１８３を、報道部門用ＬＡＮ９４を介して、送出部門７４のＯＡサーバ管理端末１００に転送する。
【００９９】
このようにして、報道部門７１において番組メタデータ１８３が作成される一方で、編集部門７３においては、取材素材が編集されて、ＯＡ素材が作成される。
【０１００】
具体的には、取材部門７２は、取材素材が記録されたリムーバブル記録媒体９７を、撮像装置９６から取り外し、編集部門７３に手渡しする。編集部門７３は、このリムーバブル記録媒体９７を編集端末９８に挿入し、所定の操作、例えば編集開始の指示操作を編集端末９８に対して行う。
【０１０１】
すると、編集端末９８の取材素材取得部１４１は、挿入されたリムーバブル記録媒体９７から取材素材を読み込むことによって、当該取材素材を取得する。取材素材取得部１４１は、取得した取材素材を素材サーバ９９に記録する。
【０１０２】
編集端末９８の編集部１４２は、編集部門７３の指示に従って、取材素材を放送に適したデータとなるように編集することで、ＯＡ素材を作成する。
【０１０３】
具体的には例えば、図１０の例では、１つの取材項目１９１に対して、２個の取材素材１８２−１及び１８２−２が作成されている。このため、２個の取材素材１８２−１及び１８２−２の各々が編集されて、その結果、１個のＯＡ素材１８４が作成される。
【０１０４】
ＯＡ素材１８４は、編集ＡＶデータ３１１とＯＡ送出素材情報３１２とから構成されている。編集ＡＶデータ３１１は、取材素材１８２−１及び１８２−２のＡＶデータ２３１−１及び２３１−２が編集された結果得られる映像及び音声の実データである。ＯＡ送出素材情報３１２は、当該ＯＡ素材１８４に関する各種要素が羅列されたリストである。本実施形態においては、図１０に示されるように、ＯＡ送出素材情報３１２には、上述した番組構成２８１とリンクするためのＯＡ送出情報ＩＤの他、当該ＯＡ素材１８４を一意に特定することが可能なＯＡ送出素材ＩＤ、ＯＡ素材名、開始点等が要素として含まれている。
【０１０５】
編集端末９８のＯＡ素材転送部１４３は、このようなＯＡ素材１８４を送出部門７４のＯＡサーバ１０１に転送する。
【０１０６】
すると、ＯＡサーバ管理端末１００のＯＡ素材登録部１５１は、ＯＡ素材１８４を受信すると、ＯＡサーバ１０１に記録する。また、ＯＡサーバ管理端末１００は、報道番組の放送予定の素材としてＯＡ素材１８４を番組メタデータ１８３に登録する。具体的には、本実施形態では上述したように、報道番組の番組内容は、番組メタデータ１８３によって管理されている。この番組メタデータ１８３には、取材項目１９１の単位で放送内容を管理するメタデータとして番組項目２７１が設けられている。さらに、番組項目２７１につき、ＯＡ素材の単位で放送内容を管理するメタデータとして、番組構成２８１が設けられている。そこで、ＯＡ素材登録部１５１は、ＯＡ素材１８４に対応する番組構成２８１に対して、ＯＡ素材１８４を登録する。すなわち、上述したように、ＯＡ素材登録部１５１は、ＯＡ素材１８４のＯＡ送出情報ＩＤを、番組構成２８１に格納（すなわち、登録）する。
【０１０７】
これにより、報道番組の番組メタデータ１８３は完成することになる。また、ＯＡ素材登録部１５１は、完成した番組メタデータ１８３を報道部門７１の記録装置９３に記録する。この時点で、記録装置９３には、リンク情報（すなわち、取材現場メタ情報１９２）と番組メタデータ１８３とが記録されている。
【０１０８】
放送装置１０２の番組放送部１５２は、OTCシステムを構築しており、報道番組の放送日時になると、当該番組メタデータ１８３に従って、当該報道番組を放送する。
【０１０９】
アーカイブリスト作成部１５３は、このようにして番組放送部１５２により放送された（又は放送予定の）報道番組について、記録装置９３に記録された情報と、ＯＡサーバ１０１に記録されたＯＡ素材１８４をもとに、アーカイブリストのデータを作成する。
【０１１０】
すなわち、図１０に示されるように、この時点では、ＯＡ素材１８４、番組メタデータ１８３、取材メタデータ１８１、及び取材素材１８２−１及び１８２−２の順番で、ＯＡ素材１８４と取材素材１８２−１及び１８２−２とが関連付けられる。
【０１１１】
より具体的には、ＯＡ素材１８４は、ＯＡ送出素材情報３１２に含まれているＯＡ送出素材ＩＤにより特定可能である。ＯＡ送出素材情報３１２には、ＯＡ送出情報ＩＤが含まれている。ＯＡ送出情報ＩＤは、番組メタデータ１８３の番組構成２８１に含まれている。このように、ＯＡ送出素材ＩＤ及びＯＡ送出情報ＩＤにより、ＯＡ素材１８４と番組メタデータ１８３とが関連付けられる。
【０１１２】
さらに、番組メタデータ１８３内では、項目ＩＤにより、当該番組構成２８１と、番組項目２７１とが対応付けられている。この番組項目２７１には、取材ＩＤが含まれている。この取材ＩＤは、対応する取材項目１９１を特定するためのＩＤであって、取材現場メタ情報１９２にも含まれている。このように、取材ＩＤにより、ＯＡ素材１８４と対応付けられた番組メタデータ１８３は、取材項目１９１及び取材現場メタ情報１９２と対応付けられる。
【０１１３】
このような取材ＩＤを含む取材現場メタ情報１９２には、取材素材１８２−１及び１８２−２を特定するための素材情報ＩＤ１及び素材情報ＩＤ２が含まれている。
【０１１４】
以上のことから、ＯＡ送出素材ＩＤ、ＯＡ送出情報ＩＤ、取材ＩＤ、及び素材情報ＩＤ１及び素材情報ＩＤ２により、ＯＡ素材１８４と取材素材１８２−１及び１８２−２とが関連付けられることになる。このため、図１０の例では、ＯＡ送出素材ＩＤ、ＯＡ送出情報ＩＤ、取材ＩＤ、及び素材情報ＩＤ１及び素材情報ＩＤ２が、各要素として羅列されたリストが、アーカイブリスト１８５として作成されている。なお、アーカイブリスト１８５の各要素の羅列の順番は任意であり、図１０の例でも左記の順番と異なって各要素が羅列されている。
【０１１５】
このようなアーカイブリスト１８５のデータは、アーカイブリスト作成部１５３から、例えばＯＡサーバ１０１、アーカイブ装置１０４、及びアーカイブ部門用ＬＡＮ１０５を介してアーカイブ管理端末１０３に転送される。
【０１１６】
すると、アーカイブ管理端末１０３のＯＡ素材転送部１６１は、アーカイブリスト１８５に従って、ＯＡ素材１８４をＯＡサーバ１０１からアーカイブ装置１０４に転送させる。
【０１１７】
また、アーカイブ管理端末１０３の取材素材転送部１６２は、アーカイブリスト１８５に従って、取材素材１８２−１及び１８２−２を素材サーバ９９からアーカイブ装置１０４に転送させる。
【０１１８】
アーカイブ装置１０４のアーカイブ実行部１６３は、アーカイブを実行する。すなわち、アーカイブ実行部１６３は、ＯＡ素材１８４と取材素材１８２−１及び１８２−２とを関連付けて、アーカイブ装置１０４内のハードディスク等に保存する。
【０１１９】
その結果、アーカイブ管理端末１０３の検索部１６４は、ＯＡ素材１８４と取材素材１８２−1及び１８２−２とのうち一方から他方を検索することが容易にできるようになる。
【０１２０】
アーカイブ装置１０４のリストア部１６５は、ＯＡ素材１８４を、編集部門７３の素材サーバ９９にリストアする。これにより、編集部門７３は、ＯＡ素材１８４の編集をすることができる。すなわち、ＯＡ素材１８４とは、取材素材１８２−１及び１８２−２が一度編集された結果作成された素材であるため、編集部門７３は、取材素材１８２−１及び１８２−２の再編集をすることができる。
【０１２１】
このようにして報道支援システム６１において用いられる各データが関連付けられた様子を、具体例を示しながら説明する。
【０１２２】
[番組項目表]
図１１は、報道支援システム６１において用いられる各データが関連付けられた様子を説明する図である。
【０１２３】
まず、報道部門７１の取材項目作成端末９１の取材項目作成部１２１は、取材項目１９１のデータを作成して取材部門７２に転送する。図１１の例では、取材項目１９１の要素としては、取材項目名（「高校サッカー決勝」）、取材日時（「12/28」）、取材場所（「国立」）、記者（「今井」）、カメラマン（「鈴木」）等が存在する。なお、取材ＩＤは便宜上「１」であるとする。なお、図１１の取材項目１９１に含まれる要素は、図１０に示される取材項目１９１の一例であり、図１０に示される要素とは異なるものもある。
【０１２４】
取材項目１９１のデータを受信したフィールド端末９５のリンク情報作成部１３１は、受信したデータに基づいてリンク情報元データを作成し、撮像装置９６に送信する。
【０１２５】
リンク情報元データを受信した撮像装置９６の取材実行部１３２は、取材を実行し、その結果得られる取材素材１８２−１及び１８２−２をリムーバブル記録媒体９７に記録する。また、撮像装置９６の取材素材登録部１３３は、リンク情報元データに基づいて、取材項目１９１と取材素材１８２−１及び１８２−２とを関連付けるリンク情報（図１０に示される取材現場メタ情報１９２に対応）のデータを作成し、報道部門７１に転送する。
【０１２６】
報道部門７１の番組項目作成端末９２の番組項目作成部１２４は、リンク情報のデータを受信すると、番組項目表３３１を作成する。番組項目表３３１は、図１０に示される番組メタデータ１８３の一例であり、番組情報２６１、番組項目２７１、番組構成２８１が羅列されたリストである。なお、図１１の番組情報２６１、番組項目２７１、番組構成２８１に含まれる要素は、それぞれ図１０に示される番組情報２６１、番組項目２７１、番組構成２８１の一例であり、図１０に示される要素とは異なるものもある。
【０１２７】
図１１に示されるように、番組項目表３３１の上部には番組名等を示す番組情報２６１が表示される。図１１において、実線の矢印で示される番組項目２７１、及び点線の矢印で示される番組構成２８１が、取材ＩＤが「１」である取材項目１９１に対応している。そこで、以下、これらの番組項目２７１及び番組構成２８１を例に説明する。
【０１２８】
番組情報２６１の要素としては、所定の報道番組を特定可能な番組名（「夕方のニュース」）、開始時刻と終了時刻（「17:00:00〜17:15:00」）等が存在する。
【０１２９】
番組項目２７１の要素としては、項目No「３」，開始時刻「17:03:00」，予定尺「01:00」，項目名「高校サッカー決勝  中継：国立競技場  実況：佐々木アナウンサー」等が存在する。ここで、図１１の番組項目２７１の要素である「項目No」が、図１０の番組項目２７１の要素である「項目ＩＤ」に対応する。
【０１３０】
そして、番組項目２７１には、構成Noが「１」と「２」である番組構成２８１が対応付けられている。
【０１３１】
例えば構成Noが「２」である番組構成２８１の要素としては、構成No「２」，内容「中継：国立競技場  実況：佐々木アナウンサー」，構成時間「01:00」，素材「V2」等が存在する。ここで、図１１の番組構成２８１の要素である「素材」は、図１０に示される番組構成２８１の要素である「ＯＡ送出情報ＩＤ」に対応する。「ＯＡ送出情報ＩＤ」は、番組構成２８１に従って放送されるＯＡ素材に対して一意に付されるＩＤであって、対応するＯＡ素材１８４にも付されている。
【０１３２】
番組項目２７１は、取材ＩＤである「１」により取材項目１９１と関連付けられている。すなわち、番組項目２７１と取材項目１９１とが、取材ＩＤである「１」により関連付けられることにより、番組項目２７１には、取材項目１９１の要素の一部の内容である「高校サッカー決勝」が含まれることになる。
【０１３３】
また、番組項目２７１と番組構成２８１とは、項目ＩＤ（項目No）である「３」により関連付けられている。すなわち、番組項目２７１と番組構成２８１とが項目ＩＤにより関連付けられることにより、番組構成２８１には、番組項目２７１の要素の一部の内容である「中継：国立競技場  実況：佐々木アナウンサー」が含まれることになる。
【０１３４】
さらに、図１１に示されるように、番組構成２８１は、ＯＡ送出情報ＩＤ（素材）である「V2」により、取材素材１８２−１及び１８２−２を編集した結果得られるＯＡ素材１８４と関連付けられている。
【０１３５】
このように、取材素材１８２−１及び１８２−２、リンク情報、番組メタデータ１８３（すなわち、番組項目表３３１）、ＯＡ素材１８４、の順番で、取材素材１８２−１及び１８２−２とＯＡ素材１８４とが関連付けられる。
【０１３６】
次に、報道支援システム６１の処理の流れについて、図１２乃至図１５を用いて説明する。
【０１３７】
[報道支援システム６１の処理]
図１２は報道／送出処理、図１３は取材処理、図１４は編集処理、図１５はアーカイブ処理の流れを説明するフローチャートである。
【０１３８】
図１２のステップＳ６１において、報道部門７１の取材項目作成端末９１の取材項目作成部１２１は、報道部門７１による入力内容に基づいて、取材項目１９１のデータを作成する。ここで、取材項目１９１には、当該取材項目１９１を一意に特定することが可能な取材ＩＤが含まれる。
【０１３９】
ステップＳ６２において、取材項目転送部１２２は、取材項目１９１のデータを取材部門７２のフィールド端末９５に転送する。なお、ステップＳ６３以降の処理については後述する。
【０１４０】
図１３のステップＳ８１において、フィールド端末９５のリンク情報作成部１３１は、報道部門７１の取材項目作成端末９１の取材項目転送部１２２から転送されてきた取材項目１９１のデータを受信する。
【０１４１】
ステップＳ８２において、リンク情報作成部１３１は、リンク情報元データを作成する。すなわち、リンク情報作成部１３１は、リンク情報元データとして、素材情報ＩＤの項目が空項目（すなわち、データが未格納な領域）である取材現場メタ情報１９２のデータを作成する。ここで、取材現場メタ情報１９２には、取材ＩＤ、取材素材１８２−１及び１８２−２についての素材情報ＩＤの空項目（すなわち、データが未格納な領域）が含まれる。
【０１４２】
ステップＳ８３において、リンク情報作成部１３１はリンク情報元データを撮像装置９６に送信する。
【０１４３】
ステップＳ８４において、撮像装置９６の取材実行部１３２は、取材対象を撮像する。すなわち、取材実行部１３２は、リンク情報元データを受信すると、取材場所において、取材部門７２の指示（すなわち、カメラマンの操作）に従って、取材対象を撮像する。
【０１４４】
ステップＳ８５において、取材実行部１３２は、１つの取材項目１９１に対して得られた取材素材１８２−１及び１８２−２をリムーバブル記録媒体９７に記録する。ここで、取材素材１８２−Ｋは、取材対象についての映像及び音声の実データであるＡＶデータ２３１−Ｋと取材素材情報２３２−Ｋとから構成されている。取材素材情報２３２−Ｋには、当該取材素材１８２−Ｋを一意に特定することが可能な素材情報ＩＤが含まれる。
【０１４５】
ステップＳ８６において、撮像装置９６の取材素材登録部１３３は、リンク情報に取材素材を登録する。すなわち、取材素材登録部１３３は、取材素材１８２−１及び１８２−２の素材情報ＩＤ１と素材情報ＩＤ２を、取材現場メタ情報１９２の空項目（すなわち、データが未格納な領域）に格納（すなわち、登録）し、リンク情報のデータを完成させる。ここで、取材現場メタ情報１９２は、取材ＩＤに加えてさらに、取材素材１８２−１及び１８２−２についての素材情報ＩＤ１と素材情報ＩＤ２を要素として含むことにより、取材項目１９１と取材素材１８２−１及び１８２−２とを関連付けている。
【０１４６】
ステップＳ８７において、取材素材登録部１３３は、リンク情報のデータ、すなわち取材現場メタ情報１９２を報道部門７１の記録装置９３に転送する。
【０１４７】
これにより、取材処理は終了する。
【０１４８】
図１２のステップＳ６３において、記録装置９３のリンク情報記録部１２３は、図１３のステップＳ８７において取材素材登録部１３３から転送されたリンク情報のデータ、すなわち取材現場メタ情報１９２を受信し、記録装置９３に記録する。
【０１４９】
ステップＳ６４において、番組項目作成端末９２の番組項目作成部１２４は、番組メタデータ１８３を作成する。すなわち、番組項目作成部１２４は、番組情報２６１を作成し、当該番組情報２６１に属する番組項目２７１を作成する。そして、当該番組項目２７１に対して、番組構成２８１を作成する。
【０１５０】
ここで、番組情報２６１には、報道番組を一意に特定可能な番組ＩＤが含まれる。番組項目２７１には、項目ＩＤ、番組ＩＤ、及び取材ＩＤが含まれる。したがって、番組ＩＤにより、番組情報２６１と番組項目２７１とが関連付けられる（すなわち、リンクする）。また、番組構成２８１には、構成ＩＤとＯＡ送出情報ＩＤが含まれる。したがって、項目ＩＤにより、番組項目２７１と番組構成２８１とが関連付けられる（すなわち、リンクする）。さらに、番組項目２７１には、取材項目１９１及び取材現場メタ情報１９２にも含まれる取材ＩＤが含まれている。したがって、取材ＩＤにより、番組メタデータ１８３と、取材項目１９１及び取材現場メタ情報１９２とが関連付けられる（すなわち、リンクする）。
【０１５１】
ステップＳ６５において、番組項目作成部１２４は、番組メタデータ１８３を送出部門７４のＯＡサーバ管理端末１００に転送する。なお、ステップＳ６６以降の処理については後述する。
【０１５２】
このようにして、報道部門７１において番組メタデータ１８３が作成される一方で、編集部門７３においては、取材素材が編集されて、ＯＡ素材が作成される。
【０１５３】
取材部門７２は、図１３に示される取材処理が終了すると、取材素材１８２−１及び１８２−２が記録されたリムーバブル記録媒体９７を、撮像装置９６から取り外し、編集部門７３に送る。編集部門７３は、このリムーバブル記録媒体９７を編集端末９８に挿入し、所定の操作、例えば編集開始の指示操作を編集端末９８に対して行う。すると、図１４に示される編集処理が開始される。
【０１５４】
図１４のステップＳ１０１において、編集端末９８の取材素材取得部１４１は、リムーバブル記録媒体９７から取材素材１８２−１及び１８２−２を読み込み、取得した取材素材１８２−１及び１８２−２を素材サーバ９９に記録する。
【０１５５】
ステップＳ１０２において、編集部１４２は、取材素材１８２−１及び１８２−２を編集し、ＯＡ素材１８４を作成する。すなわち、編集部１４２は、１つの取材項目１９１に対して得られた取材素材１８２−１及び１８２−２を編集して、その結果、ＯＡ素材１８４を作成する。ここで、ＯＡ素材１８４は、取材素材１８２−ＫのＡＶデータ２３１−Ｋが編集された結果得られる映像及び音声の実データである編集ＡＶデータ３１１と、ＯＡ送出素材情報３１２とから構成されている。ＯＡ送出素材情報３１２には、番組項目作成部１２４が作成した番組構成２８１とリンクするためのＯＡ送出情報ＩＤの他、当該ＯＡ素材１８４を一意に特定することが可能なＯＡ送出素材ＩＤが含まれる。
【０１５６】
ステップＳ１０３において、ＯＡ素材転送部１４３は、ＯＡ素材１８４を送出部門７４に転送する。
【０１５７】
これにより、編集処理は終了する。
【０１５８】
図１２のステップＳ６６において、ＯＡサーバ管理端末１００のＯＡ素材登録部１５１は、編集部門７３の編集端末９８のＯＡ素材転送部１４３から転送されてきたＯＡ素材１８４を受信し、ＯＡサーバ１０１に記録する。
【０１５９】
ステップＳ６７において、ＯＡ素材登録部１５１は、番組メタデータ１８３にＯＡ素材を登録する。すなわち、ＯＡ素材登録部１５１は、番組メタデータ１８３の番組構成２８１に、ＯＡ素材１８４のＯＡ送出情報ＩＤを格納（すなわち、登録）する。したがって、ＯＡ送出情報ＩＤにより、ＯＡ素材１８４と番組構成２８１とが関連付けられる（すなわち、リンクする）。
【０１６０】
ステップＳ６８において、ＯＡ素材登録部１５１は、ＯＡ素材１８４のＯＡ送出情報ＩＤが格納（すなわち、登録）された番組メタデータ１８３を報道部門７１の記録装置９３に記録する。
【０１６１】
ステップＳ６９において、放送装置１０２の番組放送部１５２は、報道番組を放送する。すなわち、番組放送部１５２はOTCシステムを構築しており、報道番組の放送日時になると、当該番組メタデータ１８３に従って、当該報道番組を放送する。
【０１６２】
ステップＳ７０において、ＯＡサーバ管理端末１００のアーカイブリスト作成部１５３は、番組放送部１５２により放送された報道番組について、記録装置９３に記録された情報と、ＯＡサーバ１０１に記録されたＯＡ素材１８４をもとに、アーカイブリスト１８５のデータを作成する。アーカイブリスト１８５は、ＯＡ送出素材ＩＤ、ＯＡ送出情報ＩＤ、取材ＩＤ、及び素材情報ＩＤ等の要素が含まれる。アーカイブリスト１８５の各要素により、ＯＡ素材１８４と取材素材１８２−１及び１８２−２とが関連付けられる。すなわち、ＯＡ送出素材ＩＤ及びＯＡ送出情報ＩＤにより、ＯＡ素材１８４と番組メタデータ１８３とが関連付けられる。また、取材ＩＤにより、ＯＡ素材１８４と対応付けられた番組メタデータ１８３は、取材項目１９１及び取材現場メタ情報１９２と対応付けられる。さらに、このような取材ＩＤを含む取材現場メタ情報１９２には、取材素材１８２−１及び１８２−２を特定するための素材情報ＩＤ１と素材情報ＩＤ２が含まれている。したがって、アーカイブリスト１８５の各要素により、ＯＡ素材１８４と取材素材１８２−１及び１８２−２とが関連付けられる。
【０１６３】
ステップＳ７１において、アーカイブリスト作成部１５３は、アーカイブリスト１８５のデータを、アーカイブ部門７５のアーカイブ管理端末１０３に転送する。
【０１６４】
これにより、報道／送出処理は終了する。
【０１６５】
図１５のステップＳ１２１において、アーカイブ部門７５のＯＡ素材転送部１６１及び取材素材転送部１６２は、送出部門７４のＯＡサーバ管理端末１００のアーカイブリスト作成部１５３から転送されてきたアーカイブリスト１８５を受信する。
【０１６６】
ステップＳ１２２において、ＯＡ素材転送部１６１は、アーカイブリスト１８５に従って、ＯＡ素材１８４をＯＡサーバ１０１からアーカイブ装置１０４に転送させる。
【０１６７】
ステップＳ１２３において、取材素材転送部１６２は、アーカイブリスト１８５に従って、取材素材１８２−１及び１８２−２を素材サーバ９９からアーカイブ装置１０４に転送させる。
【０１６８】
ステップＳ１２４において、アーカイブ装置１０４のアーカイブ実行部１６３は、アーカイブを実行する。すなわち、アーカイブ実行部１６３は、ＯＡ素材１８４と取材素材１８２−１及び１８２−２とを関連付けて、アーカイブ装置１０４内のハードディスク等に保存する。その結果、アーカイブ管理端末１０３の検索部１６４は、ＯＡ素材１８４と取材素材１８２−１及び１８２−２とのうち一方から他方を検索することが容易にできるようになる。
【０１６９】
ステップＳ１２５において、リストア部１６５は、ＯＡ素材１８４を、編集部門７３の素材サーバ９９にリストアする。これにより、編集部門７３は、取材素材１８２−１及び１８２−２の再編集をすることができる。
【０１７０】
これにより、アーカイブ処理は終了する。
【０１７１】
このように、ＯＡ送出素材ＩＤ、ＯＡ送出情報ＩＤ、取材ＩＤ、及び素材情報ＩＤ１及び素材情報ＩＤ２により、ＯＡ素材１８４、番組メタデータ１８３、取材メタデータ１８１、及び取材素材１８２−１及び１８２−２の順番で、ＯＡ素材１８４と取材素材１８２−１及び１８２−２とが関連付けられる。したがって、ＯＡ素材１８４と取材素材１８２−１及び１８２−２とのうち一方から他方を検索することが容易にできるようになる。
【０１７２】
＜２．第２実施形態＞
ところで、第１実施形態の報道支援システム６１では、報道部門７１で作成された取材項目１９１と、取材部門７２で得られた取材素材１８２−１及び１８２−２とを関連付けるリンク情報のデータが、外部ネットワーク１１１を介して撮像装置９６から報道部門７１に転送された。しかしながら、セキュリティ上の問題、撮像装置９６の性能上の問題等により、撮像装置９６が外部ネットワーク１１１に接続できない場合がある。そこで、第２実施形態では、このような場合にも、編集前の取材素材と編集後のＯＡ素材とを関連付けることができるようにする。
【０１７３】
[第２実施形態の報道支援システムの構成例]
図１６は、第２実施形態の報道支援システムの構成例を示すブロック図である。
【０１７４】
図１６に示されるように、第２実施形態の報道支援システム５６１は、報道部門５７１、取材部門５７２、編集部門５７３、送出部門５７４、及びアーカイブ部門５７５のそれぞれで用いられる装置により構成されている。
【０１７５】
なお、報道部門５７１、取材部門５７２、編集部門５７３、送出部門５７４、及びアーカイブ部門５７５の各部門の各作業は、実際には、各部門に属する自然人によって、各部門に設けられた装置を用いて行われる。ただし、以下、説明の便宜上、各作業の動作主体は、各部門であるとする。
【０１７６】
図１６の報道部門５７１に設けられる取材項目作成端末５９１、番組項目作成端末５９２、記録装置５９３、及び報道部門用ＬＡＮ５９４のそれぞれの基本的な構成は、図３の報道部門７１に設けられる取材項目作成端末９１、番組項目作成端末９２、記録装置９３、及び報道部門用ＬＡＮ９４のそれぞれの構成と同様で一致する。また、図１６のアーカイブ部門５７５に設けられるアーカイブ管理端末６０３、アーカイブ装置６０４、及びアーカイブ部門用ＬＡＮ６０５のそれぞれの基本的な構成は、図３のアーカイブ部門７５に設けられるアーカイブ管理端末１０３、アーカイブ装置１０４、及びアーカイブ部門用ＬＡＮ１０５のそれぞれの構成と同様で一致する。したがって、以下、図１６の報道支援システム５６１の構成において、図３の報道支援システム６１の構成との一致点の説明は省略し、その差異点のみを説明する。すなわち、取材部門５７２、編集部門５７３、及び送出部門５７４の構成についてのみ説明する。
【０１７７】
取材部門５７２は、報道部門５７１が作成した取材内容に沿って取材を行う。このような取材を行うべく、取材部門５７２には、フィールド端末５９５、及び撮像装置５９６が設けられている。フィールド端末５９５及び撮像装置５９６は、自在に持ち運び可能とされている。フィールド端末５９５は、外部ネットワーク６１１に接続することで、当該外部ネットワーク６１１に接続された他の機器と通信を行うことができる。また、フィールド端末５９５及び撮像装置５９６は、赤外線通信等により、相互に無線通信を行うことができる。詳細については後述するが、例えば本実施形態では、フィールド端末５９５は、取材場所において、取材項目作成端末５９１から外部ネットワーク６１１を介して転送されてきた取材メタデータを受信する。フィールド端末５９５は、当該取材メタデータを用いて、リンク情報元データを作成し、撮像装置５９６に無線送信する。撮像装置５９６は、そのリンク情報元データに従って、取材場所で取材対象を撮像し、その結果得られるデータを取材素材として、リムーバブル記録媒体５９７に記録する。撮像装置５９６はまた、リンク情報元データからリンク情報を作成し、取材メタデータの１つとして、取材素材と併せてリムーバブル記録媒体５９７に記録する。
【０１７８】
一方、取材素材とリンク情報とが記録されたリムーバブル記録媒体５９７は、取材部門５７２から編集部門５７３に送られる。編集部門５７３は、このリムーバブル記録媒体５９７に記録された取材素材を編集して、ＯＡ素材を作成する。このような編集を行うべく、編集部門５７３には、編集端末５９８、及び素材サーバ５９９が設けられている。編集端末５９８は、素材サーバ５９９、及び送出部門５７４のＯＡサーバ６０１とケーブル等により直接接続されている。詳細については後述するが、例えば本実施形態では、リムーバブル記録媒体５９７に記録された取材素材とリンク情報はともに、素材サーバ５９９により取得され、記録される。その後、素材サーバ５９９に記録された取材素材は、編集端末５９８により編集されてＯＡ素材が作成される。編集端末５９８は、報道部門５７１が作成した番組内容と、ＯＡ素材とを関連付けるための要素を含むＯＡ素材を作成し、送出部門５７４のＯＡサーバ６０１に転送する。また、素材サーバ５９９に記録されたリンク情報は、後述するＯＡサーバ管理端末６００からの要求により、ＯＡサーバ管理端末６００に転送される。
【０１７９】
送出部門５７４は、編集部門５７３が作成したＯＡ素材を用いて、報道番組を放送する。このような放送を行うべく、送出部門５７４には、ＯＡサーバ管理端末６００、ＯＡサーバ６０１、及び放送装置６０２が設けられている。ＯＡサーバ管理端末６００は、報道部門用ＬＡＮ５９４により、報道部門５７１に設けられた各装置と相互に接続されている。ＯＡサーバ管理端末６００はまた、ＯＡサーバ６０１、及び編集部門５７３の素材サーバ５９９とケーブル等により直接接続されている。ＯＡサーバ６０１は、放送装置６０２、編集部門５７３の編集端末５９８、及びアーカイブ部門５７５のアーカイブ装置６０４とケーブル等により直接接続されている。放送装置６０２はOTCシステムを構築している。詳細については後述するが、例えば本実施形態では、ＯＡサーバ管理端末６００は、編集部門５７３の素材サーバ５９９の記録内容を監視する。すなわち、ＯＡサーバ管理端末６００は、素材サーバ５９９の記録内容に変化があった場合、すなわち、リムーバブル記録媒体５９７から新たに取材素材とリンク情報とが記録された場合、素材サーバ５９９からリンク情報のデータを取得し、報道部門５７１の記録装置５９３に転送する。また、ＯＡサーバ管理端末６００は、ＯＡ素材と、当該ＯＡ素材の編集前の取材素材とを関連付ける各種情報が各要素として羅列されたリストであるアーカイブリストを作成し、アーカイブ部門５７５のアーカイブ管理端末６０３に転送する。
【０１８０】
次に、このような報道支援システム５６１の機能的構成例について、図１７乃至図２１を用いて説明する。
【０１８１】
[報道支援システム５６１の機能的構成例]
図１７乃至図２１は、報道支援システム５６１を構成するそれぞれの部門の機能的構成例を示すブロック図である。
【０１８２】
図１７は、報道部門５７１の機能的構成例を示すブロック図である。
【０１８３】
取材項目作成端末５９１は、取材項目作成部６２１、及び取材項目転送部６２２を有している。番組項目作成端末５９２は、番組項目作成部６２４を有している。記録装置５９３は、リンク情報記録部６２３を有している。
【０１８４】
図１８は、取材部門５７２の機能的構成例を示すブロック図である。
【０１８５】
フィールド端末５９５は、リンク情報作成部６３１を有している。撮像装置５９６は、取材実行部６３２、及び取材素材登録部６３３を有している。
【０１８６】
図１９は、編集部門５７３の機能的構成例を示すブロック図である。
【０１８７】
編集端末５９８は、編集部６４２、及びＯＡ素材転送部６４３を有している。素材サーバ５９９は、取材素材／リンク情報取得部６４１を有している。
【０１８８】
図２０は、送出部門５７４の機能的構成例を示すブロック図である。
【０１８９】
ＯＡサーバ管理端末６００は、ＯＡ素材登録部６５１、アーカイブリスト作成部６５３、及び監視部６５４を有している。放送装置６０２は、番組放送部６５２を有している。
【０１９０】
図２１は、アーカイブ部門５７５の機能的構成例を示すブロック図である。
【０１９１】
アーカイブ管理端末６０３は、ＯＡ素材転送部６６１、取材素材転送部６６２、及び検索部６６４を有している。アーカイブ装置６０４は、アーカイブ実行部６６３、及びリストア部６６５を有している。
【０１９２】
このような報道支援システム５６１の各構成部の機能を、図２２に示される報道支援システム５６１のデータの流れと合わせて説明する。
【０１９３】
[報道支援システム５６１のデータの説明]
図２２は、報道支援システム５６１で用いられる各データの流れの概略を示す図である。
【０１９４】
図２２において、一点鎖線で表わされる矢印は、取材メタデータの流れを示している。点線で表わされる矢印は、取材素材の流れを示している。二重線で表わされる矢印は番組メタデータの流れを示している。実線で表わされる矢印は、ＯＡ素材のデータの流れを示している。
【０１９５】
なお、報道支援システム５６１において用いられる各データ、すなわち図２２に流れが示されている各データの構造例は、図１０に示される各データの構造例と同様である。したがって、報道支援システム５６１において用いられる各データの構造例については、その説明を省略する。
【０１９６】
報道部門５７１は、取材項目１９１の各要素を決定し、その内容を取材項目作成端末５９１に入力する。すると、図２２に示されるように、取材項目作成端末５９１の取材項目作成部６２１は、報道部門５７１による入力内容に基づいて、取材項目１９１のデータを作成する。
【０１９７】
取材項目作成端末５９１の取材項目転送部６２２は、取材項目１９１のデータを、報道部門用ＬＡＮ５９４及び外部ネットワーク６１１を介して、取材部門５７２のフィールド端末５９５に転送する。
【０１９８】
フィールド端末５９５のリンク情報作成部６３１は、取材項目１９１のデータが取材項目作成端末５９１から転送されてきた場合、取材項目１９１と取材素材とを関連付けるリンク情報の元となるリンク情報元データを作成する。リンク情報の形態は特に限定されないが、本実施形態では、図１０に示される取材現場メタ情報１９２がリンク情報として採用されている。
【０１９９】
フィールド端末５９５のリンク情報作成部６３１は、このようなリンク情報元データ、すなわち本実施形態では素材情報ＩＤの項目に空項目（すなわち、データが未格納な領域）を有する取材現場メタ情報１９２のデータを作成すると、撮像装置５９６に送信する。
【０２００】
撮像装置５９６の取材実行部６３２は、リンク情報元データを受信すると、取材場所において、取材部門５７２の指示（すなわち、カメラマンの操作）に従って、取材を実行する。すなわち、取材実行部６３２は、取材対象を撮像し、その結果得られる取材素材１８２−１及び１８２−２をリムーバブル記録媒体５９７に記録する。
【０２０１】
撮像装置５９６の取材素材登録部６３３は、取材素材１８２−１及び１８２−２の素材情報ＩＤ１と素材情報ＩＤ２を、取材現場メタ情報１９２の空項目（すなわち、データが未格納な領域）に格納（すなわち、登録）する。これにより、リンク情報、すなわち取材現場メタ情報１９２は完成することになる。
【０２０２】
ここで、取材項目１９１の要素としては、取材ＩＤが含まれている。よって、取材現場メタ情報１９２は、取材項目１９１の取材ＩＤと、取材素材１８２−１及び１８２−２の各々についての素材情報ＩＤ１と素材情報ＩＤ２を含むことによって、取材項目１９１と取材素材１８２−１及び１８２−２の各々とを関連付けている。また、視点を変えると、取材現場メタ情報１９２は、取材項目１９１の各要素を含んでいることから、取材メタデータ１８１の１つであると把握することもできる。
【０２０３】
撮像装置５９６の取材素材登録部６３３は、このようなリンク情報、すなわち本実施形態では取材現場メタ情報１９２を作成すると、取材素材１８２−１及び１８２−２と併せてリムーバブル記録媒体５９７に記録する。
【０２０４】
取材部門５７２は、取材素材とリンク情報が記録されたリムーバブル記録媒体５９７を、撮像装置５９６から取り外し、編集部門５７３に手渡しする。編集部門５７３は、このリムーバブル記録媒体５９７を素材サーバ５９９に挿入し、所定の操作、例えば編集開始の指示操作を素材サーバ５９９に対して行う。
【０２０５】
すると、素材サーバ５９９の取材素材／リンク情報取得部６４１は、挿入されたリムーバブル記録媒体５９７から取材素材とリンク情報を読み込むことによって、当該取材素材とリンク情報を取得し、取得した取材素材とリンク情報を記録する。
【０２０６】
ここで、送出部門５７４のＯＡサーバ管理端末６００は、素材サーバ５９９の記録内容を監視している。素材サーバ５９９の記録内容に変化があった場合、すなわち、リムーバブル記録媒体５９７から新たに取材素材とリンク情報とが素材サーバ５９９に記録された場合、ＯＡサーバ管理端末６００は、素材サーバ５９９からリンク情報のデータを取得し、報道部門５７１の記録装置５９３に転送する。
【０２０７】
記録装置５９３のリンク情報記録部６２３は、リンク情報（すなわち、取材現場メタ情報１９２）を受信すると、記録装置５９３に記録する。
【０２０８】
報道部門５７１は、このようにしてリンク情報（すなわち、取材現場メタ情報１９２）が記録されると、すなわち報道番組の作成に必要な情報が得られると、当該報道番組の番組内容を作成する。
【０２０９】
具体的には先ず、報道部門５７１は、当該報道番組を特定可能な番組情報２６１を作成する。すなわち、報道部門５７１は、番組情報２６１の各要素を決定し、その内容を番組項目作成端末５９２に入力する。すると、番組項目作成端末５９２の番組項目作成部６２４は、報道部門５７１による入力内容に基づいて、番組情報２６１を作成する。
【０２１０】
次に、報道部門５７１は、番組情報２６１に属する番組項目２７１を作成する。番組項目２７１に含まれる番組ＩＤにより、番組情報２６１と番組項目２７１とが関連付けられる（すなわち、リンクする）。また、番組項目２７１に含まれる取材ＩＤにより、番組項目２７１と、それに対応する取材項目１９１とが関連付けられる（すなわち、リンクする）。
【０２１１】
報道部門５７１は、このような番組項目２７１の各要素を決定し、その内容を番組項目作成端末５９２に入力する。すると、番組項目作成端末５９２の番組項目作成部６２４は、報道部門５７１による入力内容に基づいて、番組項目２７１のデータを作成する。
【０２１２】
ここで、図１０の例では、番組項目２７１に対応する取材項目１９１に従って実行された取材においては、２個の取材素材１８２−１及び１８２−２が得られている。ただし、報道番組内で放送される素材は、これら２個の取材素材１８２−１及び１８２−２そのものではなく、編集部門７３において編集された後のＯＡ素材である。図１０の例では、２個の取材素材１８２−１及び１８２−２が編集された結果として、１個のＯＡ素材１８４が得られる。従って、図１０の例では、番組項目２７１に従って放送される対象は、１個のＯＡ素材１８４となる。
【０２１３】
報道部門４７１は、さらに、番組項目２７１に従ってＯＡ素材１８４を放送する場合に、それを如何にして放送するのかを決定付ける番組構成２８１のデータを作成する。図１０の例では、報道部門７１は、番組項目２７１に対して、ＯＡ素材１８４についての番組構成２８１を作成する。
【０２１４】
番組構成２８１に含まれる項目ＩＤにより、番組項目２７１と番組構成２８１とが関連付けられる（すなわち、リンクする）。また、番組構成２８１に含まれるＯＡ送出情報ＩＤにより、番組構成２８１と、それに対応するＯＡ素材１８４とが関連付けられる（すなわち、リンクする）。
【０２１５】
ただし、本実施形態では、このような番組構成２８１が作成された段階で、対応するＯＡ素材１８４が作成されていない場合がある。このため、番組項目作成部６２４は、番組構成２８１のうち、ＯＡ送出情報ＩＤを格納可能な空項目（すなわち、データが未格納な領域）だけ作成して、実際の値を格納（すなわち、登録）しない。すなわち、番組構成２８１に従って放送される予定のＯＡ素材１８４が、送出部門５７４のＯＡサーバ６０１に格納された段階で、当該ＯＡ素材１８４に含まれているＯＡ送出情報ＩＤが、番組構成２８１の空項目（すなわち、データが未格納な領域）に格納（すなわち、登録）される。
【０２１６】
このようにして、報道番組の番組内容として、番組情報２６１が作成され、当該番組情報２６１に属する番組項目２７１が作成される。そして、当該番組項目２７１に対して、番組構成２８１が作成される。番組項目作成部６２４は、このようにして作成された番組メタデータ１８３を、報道部門用ＬＡＮ５９４を介して、送出部門５７４のＯＡサーバ管理端末６００に転送する。
【０２１７】
このようにして、報道部門６７１において番組メタデータ１８３が作成される一方で、編集部門５７３においては、取材素材が編集されて、ＯＡ素材が作成される。
【０２１８】
編集端末５９８の編集部６４２は、編集部門５７３の指示に従って、素材サーバ５９９に記録された取材素材を放送に適したデータとなるように編集することで、ＯＡ素材を作成する。具体的には、２個の取材素材１８２−１及び１８２−２の各々が編集されて、その結果、１個のＯＡ素材１８４が作成される。
【０２１９】
編集端末５９８のＯＡ素材転送部６４３は、ＯＡ素材１８４を送出部門５７４のＯＡサーバ６０１に転送する。
【０２２０】
すると、ＯＡサーバ管理端末６００のＯＡ素材登録部６５１は、報道番組の放送予定の素材としてＯＡ素材１８４を登録する。すなわち、ＯＡ素材登録部６５１は、ＯＡ素材１８４のＯＡ送出情報ＩＤを、番組構成２８１に格納（すなわち、登録）する。
【０２２１】
これにより、報道番組の番組メタデータ１８３は完成することになる。また、ＯＡ素材登録部６５１は、完成した番組メタデータ１８３を、報道部門５７１の記録装置５９３に記録する。この時点で、記録装置５９３には、リンク情報（すなわち、取材現場メタ情報１９２）と番組メタデータ１８３とが記録されている。
【０２２２】
放送装置６０２の番組放送部６５２は、OTCシステムを構築しており、報道番組の放送日時になると、当該番組メタデータ１８３に従って、当該報道番組を放送する。
【０２２３】
アーカイブリスト作成部６５３は、このようにして番組放送部６５２により放送された（又は放送予定の）報道番組について、記録装置５９３に記録された情報と、ＯＡサーバ６０１に記録されたＯＡ素材１８４をもとに、アーカイブリストのデータを作成する。
【０２２４】
すなわち、図１０に示されるように、この時点では、ＯＡ素材１８４、番組メタデータ１８３、取材メタデータ１８１、及び取材素材１８２−１及び１８２−２の順番で、ＯＡ素材１８４と取材素材１８２−１及び１８２−２とが関連付けられる。
【０２２５】
このため、図１０の例では、ＯＡ送出素材ＩＤ、ＯＡ送出情報ＩＤ、取材ＩＤ、及び素材情報１及び素材情報ＩＤ２が、各要素として羅列されたリストが、アーカイブリスト１８５として作成されている。
【０２２６】
このようなアーカイブリスト１８５のデータは、アーカイブリスト作成部６５３から、例えばＯＡサーバ６０１、アーカイブ装置６０４、及びアーカイブ部門用ＬＡＮ６０５を介してアーカイブ管理端末６０３に転送される。
【０２２７】
すると、アーカイブ管理端末６０３のＯＡ素材転送部６６１は、アーカイブリスト１８５に従って、ＯＡ素材１８４をＯＡサーバ６０１からアーカイブ装置６０４に転送させる。
【０２２８】
また、アーカイブ管理端末６０３の取材素材転送部６６２は、アーカイブリスト１８５に従って、取材素材１８２−1及び１８２−２を素材サーバ５９９からアーカイブ装置６０４に転送させる。
【０２２９】
アーカイブ装置６０４のアーカイブ実行部６６３は、アーカイブを実行する。すなわち、アーカイブ実行部６６３は、ＯＡ素材１８４と取材素材１８２−1及び１８２−２とを関連付けて、アーカイブ装置６０４内のハードディスク等に保存する。
【０２３０】
その結果、アーカイブ管理端末６０３の検索部６６４は、ＯＡ素材１８４と取材素材１８２−1及び１８２−２とのうち一方から他方を検索することが容易にできるようになる。
【０２３１】
アーカイブ装置６０４のリストア部６６５は、ＯＡ素材１８４を、編集部門４７３の素材サーバ５９９にリストアする。これにより、編集部門４７３は、ＯＡ素材１８４の編集をすることができる。すなわち、ＯＡ素材１８４とは、取材素材１８２−1及び１８２−２が一度編集された結果作成された素材であるため、編集部門４７３は、取材素材１８２−1及び１８２−２の再編集をすることができる。
【０２３２】
次に、報道支援システム５６１の処理の流れについて、図２３乃至図２６を用いて説明する。
【０２３３】
[報道支援システム５６１の処理]
図２３は報道／送出処理、図２４は取材処理、図２５は編集処理、図２６はアーカイブ処理の流れを説明するフローチャートである。
【０２３４】
図２３のステップＳ１４１において、報道部門５７１の取材項目作成端末５９１の取材項目作成部６２１は、報道部門５７１による入力内容に基づいて、取材項目１９１のデータを作成する。ここで、取材項目１９１には、当該取材項目１９１を一意に特定することが可能な取材ＩＤが含まれる。
【０２３５】
ステップＳ１４２において、取材項目転送部６２２は、取材項目１９１のデータを取材部門５７２のフィールド端末５９５に転送する。なお、ステップＳ１４３以降の処理については後述する。
【０２３６】
図２４のステップＳ１６１において、フィールド端末５９５のリンク情報作成部６３１は、報道部門５７１の取材項目作成端末５９１の取材項目転送部６２２から転送されてきた取材項目１９１のデータを受信する。
【０２３７】
ステップＳ１６２において、リンク情報作成部６３１は、リンク情報元データを作成する。すなわち、リンク情報作成部６３１は、素材情報ＩＤの項目が空項目（すなわち、データが未格納な領域）である取材現場メタ情報１９２のデータを作成する。ここで、取材現場メタ情報１９２には、取材ＩＤ、取材素材１８２−１及び１８２−２についての素材情報ＩＤの空項目（すなわち、データが未格納な領域）が含まれる。
【０２３８】
ステップＳ１６３において、リンク情報作成部６３１は、リンク情報元データを撮像装置５９６に送信する。
【０２３９】
ステップＳ１６４において、撮像装置５９６の取材実行部６３２は、取材対象を撮像する。すなわち、取材実行部６３２は、リンク情報元データを受信すると、取材場所において、取材部門５７２の指示（すなわち、カメラマンの操作）に従って、取材対象を撮像する。
【０２４０】
ステップＳ１６５において、取材実行部６３２は、１つの取材項目１９１に対して得られた取材素材１８２−１及び１８２−２をリムーバブル記録媒体５９７に記録する。
【０２４１】
ステップＳ１６６において、撮像装置５９６の取材素材登録部６３３は、リンク情報に取材素材を登録する。すなわち、取材素材登録部６３３は、取材素材１８２−１及び１８２−２の素材情報ＩＤ１と素材情報ＩＤ２を、取材現場メタ情報１９２の空項目（すなわち、データが未格納な領域）に格納（すなわち、登録）し、リンク情報のデータを完成させる。ここで、取材現場メタ情報１９２は、取材ＩＤに加えてさらに、取材素材１８２−１及び１８２−２についての素材情報ＩＤ１と素材情報ＩＤ２を要素として含むことにより、取材項目１９１と取材素材１８２−１及び１８２−２とを関連付けている。
【０２４２】
ステップＳ１６７において、取材素材登録部６３３は、リンク情報のデータ、すなわち取材現場メタ情報１９２を取材素材１８２−１及び１８２−２が記録されたリムーバブル記録媒体５９７に併せて記録する。
【０２４３】
これにより、取材処理は終了する。
【０２４４】
取材部門５７２は、図２４に示される取材処理が終了すると、取材素材とリンク情報が記録されたリムーバブル記録媒体５９７を、撮像装置５９６から取り外し、編集部門５７３に送る。編集部門５７３は、このリムーバブル記録媒体５９７を素材サーバ５９９に挿入し、所定の操作、例えば編集開始の指示操作を素材サーバ５９９に対して行う。すると、図２５に示される編集処理が開始される。
【０２４５】
図２５のステップＳ１８１において、素材サーバ５９９の取材素材／リンク情報取得部６４１は、リムーバブル記録媒体５９７から取材素材とリンク情報を読み込み、取得した取材素材とリンク情報を素材サーバ５９９に記録する。なお、ステップＳ１８２以降の処理は後述する。
【０２４６】
一方、報道部門５７１においては、図２３のステップＳ１４２の転送処理が行われた後、ステップＳ１４３において、送出部門５７４のＯＡサーバ管理端末６００の監視部６５４は、編集部門５７３の素材サーバ５９９の記録内容を監視する。すなわち、監視部６５４は、素材サーバ５９９に新たに取材素材とリンク情報とが記録されるのを監視する。
【０２４７】
ステップＳ１４４において、監視部６５４は、素材サーバ５９９の記録内容に変化があったかを判定する。すなわち、監視部６５４は、図２５のステップＳ１８１の処理の結果、素材サーバ５９９に新たに取材素材とリンク情報とが記録されたかを判定する。
【０２４８】
素材サーバ５９９の記録内容に変化がない場合、ステップＳ１４４においてＮＯであると判定されて、処理はステップＳ１４４に戻され、それ以降の処理が繰り返される。すなわち、素材サーバ５９９の記録内容に変化があるまでの間、ステップＳ１４４の判定処理が繰り返される。
【０２４９】
その後、素材サーバ５９９の記録内容に変化があった場合、すなわち、図２５のステップＳ１８１において、素材サーバ５９９に新たに取材素材とリンク情報とが記録された場合、ステップＳ１４４においてＹＥＳであると判定されて、処理はステップＳ１４５に進む。
【０２５０】
ステップＳ１４５において、監視部６５４は、素材サーバ５９９にリンク情報のデータ、すなわち取材現場メタ情報１９２を転送させる。
【０２５１】
ステップＳ１４６において、報道部門５７１の記録装置５９３のリンク情報登録部６２３は、素材サーバ５９９からＯＡサーバ管理端末６００に転送されたリンク情報のデータ、すなわち取材現場メタ情報１９２を記録する。
【０２５２】
ステップＳ１４７において、番組項目作成端末５９２の番組項目作成部６２４は、番組メタデータ１８３を作成する。すなわち、番組項目作成部６２４は、番組情報２６１を作成し、当該番組情報２６１に属する番組項目２７１を作成する。そして、当該番組項目２７１に対して、番組構成２８１を作成する。すると、番組ＩＤにより、番組情報２６１と番組項目２７１とが関連付けられる（すなわち、リンクする）。また、番組ＩＤにより、番組情報２６１と番組項目２７１とが関連付けられる（すなわち、リンクする）。さらに、取材ＩＤにより、番組メタデータ１８３と、取材項目１９１及び取材現場メタ情報１９２とが関連付けられる（すなわち、リンクする）。
【０２５３】
ステップＳ１４８において、番組項目作成部６２４は、番組メタデータ１８３を送出部門５７４のＯＡサーバ管理端末６００に転送する。なお、ステップＳ１４９以降の処理については後述する。
【０２５４】
このようにして、報道部門５７１において番組メタデータ１８３が作成される一方で、編集部門５７３においては、取材素材が編集されて、ＯＡ素材が作成される。
【０２５５】
編集部門５７３においては、図２５のステップＳ１８１の記録処理が行われた後、ステップＳ１８２において、編集部６４２は、素材サーバ５９９に記録された取材素材１８２−１及び１８２−２を編集し、ＯＡ素材１８４を作成する。すなわち、編集部６４２は、１つの取材項目１９１に対して得られた取材素材１８２−１及び１８２−２を編集して、その結果、ＯＡ素材１８４を作成する。
【０２５６】
ステップＳ１８３において、ＯＡ素材転送部６４３は、ＯＡ素材１８４を送出部門５７４のＯＡサーバ６０１に転送する。
【０２５７】
これにより、編集処理は終了する。
【０２５８】
図２３のステップＳ１４９において、送出部門５７４のＯＡサーバ管理端末６００のＯＡ素材登録部６５１は、編集部門５７３の編集端末５９８のＯＡ素材転送部６４３から転送されてきたＯＡ素材１８４を受信し、ＯＡサーバ６０１に記録する。
【０２５９】
ステップＳ１５０において、ＯＡ素材登録部６５１は、番組メタデータ１８３にＯＡ素材を登録する。すなわち、ＯＡ素材登録部６５１は、番組メタデータ１８３の番組構成２８１に、ＯＡ素材１８４のＯＡ送出情報ＩＤを格納（すなわち、登録）する。したがって、ＯＡ送出情報ＩＤにより、ＯＡ素材１８４と番組構成２８１とが関連付けられる（すなわち、リンクする）。
【０２６０】
ステップＳ１５１において、ＯＡ素材登録部６５１は、ＯＡ素材１８４のＯＡ送出情報ＩＤが格納（すなわち、登録）された番組メタデータ１８３を報道部門５７１の記録装置５９３に記録する。
【０２６１】
ステップＳ１５２において、放送装置６０２の番組放送部６５２は、報道番組を放送する。すなわち、番組放送部６５２はOTCシステムを構築しており、報道番組の放送日時になると、当該番組メタデータ１８３に従って、当該報道番組を放送する。
【０２６２】
ステップＳ１５３において、ＯＡサーバ管理端末６００のアーカイブリスト作成部６５３は、番組放送部６５２により放送された報道番組について、記録装置５９３に記録された情報と、ＯＡサーバ６０１に記録されたＯＡ素材１８４をもとに、アーカイブリスト１８５のデータを作成する。アーカイブリスト１８５は、ＯＡ送出素材ＩＤ、ＯＡ送出情報ＩＤ、取材ＩＤ、及び素材情報ＩＤ等の要素が含まれる。アーカイブリスト１８５の各要素により、ＯＡ素材１８４と取材素材１８２−１及び１８２−２とが関連付けられる。すなわち、ＯＡ送出素材ＩＤ及びＯＡ送出情報ＩＤにより、ＯＡ素材１８４と番組メタデータ１８３とが関連付けられる。また、取材ＩＤにより、ＯＡ素材１８４と対応付けられた番組メタデータ１８３は、取材項目１９１及び取材現場メタ情報１９２と対応付けられる。さらに、このような取材ＩＤを含む取材現場メタ情報１９２には、取材素材１８２−１及び１８２−２を特定するための素材情報ＩＤ１と素材情報ＩＤ２が含まれている。したがって、アーカイブリスト１８５の各要素により、ＯＡ素材１８４と取材素材１８２−１及び１８２−２とが関連付けられる。
【０２６３】
ステップＳ１５４において、アーカイブリスト作成部６５３は、アーカイブリスト１８５のデータを、アーカイブ部門５７５のアーカイブ管理端末６０３に転送する。
【０２６４】
これにより、報道／送出処理は終了する。
【０２６５】
図２６のステップＳ２０１において、アーカイブ部門５７５のＯＡ素材転送部６６１及び取材素材転送部６６２は、送出部門５７４のＯＡサーバ管理端末６００のアーカイブリスト作成部６５３から転送されてきたアーカイブリスト１８５を受信する。
【０２６６】
ステップＳ２０２において、ＯＡ素材転送部６６１は、アーカイブリスト１８５に従って、ＯＡ素材１８４をＯＡサーバ６０１からアーカイブ装置６０４に転送させる。
【０２６７】
ステップＳ２０３において、取材素材転送部６６２は、アーカイブリスト１８５に従って、取材素材１８２−１及び１８２−２を素材サーバ５９９からアーカイブ装置６０４に転送させる。
【０２６８】
ステップＳ２０４において、アーカイブ装置６０４のアーカイブ実行部６６３は、アーカイブを実行する。すなわち、アーカイブ実行部６６３は、ＯＡ素材１８４と取材素材１８２とを関連付けて、アーカイブ装置６０４内のハードディスク等に保存する。その結果、アーカイブ管理端末６０３の検索部６６４は、ＯＡ素材１８４と取材素材１８２−１及び１８２−２とのうち一方から他方を検索することが容易にできるようになる。
【０２６９】
ステップＳ２０５において、リストア部６６５は、ＯＡ素材１８４を、編集部門５７３の素材サーバ５９９にリストアする。これにより、編集部門５７３は、取材素材１８２−１及び１８２−２の再編集をすることができる。
【０２７０】
これにより、アーカイブ処理は終了する。
【０２７１】
このように、本実施形態の報道支援システム５６１においては、撮像装置５９６が、外部ネットワーク６１１に接続することができない場合にも、編集前の取材素材と編集後のＯＡ素材とを関連付けることができる。すなわち、ＯＡ送出素材ＩＤ、ＯＡ送出情報ＩＤ、取材ＩＤ、及び素材情報ＩＤ１及び素材情報ＩＤ２により、ＯＡ素材１８４、番組メタデータ１８３、取材メタデータ１８１、及び取材素材１８２−１及び１８２−２の順番で、ＯＡ素材１８４と取材素材１８２−１及び１８２−２とが関連付けられる。したがって、ＯＡ素材１８４と取材素材１８２−１及び１８２−２とのうち一方から他方を検索することが容易にできるようになる。
【０２７２】
本発明は、OTCシステムを備えた情報処理装置に適用することができる。
【０２７３】
[本発明のプログラムへの適用]
上述した一連の処理は、ハードウエアにより実行させることもできるし、ソフトウェアにより実行させることができる。
【０２７４】
一連の処理をソフトウェアにより実行させる場合には、そのソフトウェアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０２７５】
このようなプログラムを含む記録媒体は、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（MD（Mini-Disc）を含む）、もしくは半導体メモリなどよりなるリムーバブルメディア（パッケージメディア）、例えば図２７のリムーバブルメディア８１１により構成されるだけでなく、装置本体に予め組み込まれた状態でユーザに提供される、プログラムが記録されているROM、例えば図２７のROM８０２や、例えば図２７の記憶部８０８等に含まれるハードディスクなどで構成される。
【０２７６】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【０２７７】
また、本明細書において、システムとは、複数の装置、手段などにより構成される装置全体を表すものである。
【符号の説明】
【０２７８】
６１  報道支援システム，  ７１  報道部門，  ７２  取材部門，  ７３  編集部門，  ７４  送出部門，  ７５  アーカイブ部門，  ９１  取材項目作成端末，  ９２  番組項目作成端末，  ９３  記録装置，  ９５  フィールド端末，  ９６  撮像装置，  ９７  リムーバブル記録媒体，  ９８  編集端末，  ９９  素材サーバ，  １００  ＯＡサーバ管理端末，  １０１  ＯＡサーバ，  １０２  放送装置，  １０３  アーカイブ管理端末，  １０４  アーカイブ装置，  １５３  アーカイブリスト作成部，  １８１  取材メタデータ，  １８２  取材素材，  １８３  番組メタデータ，  １８４  ＯＡ素材，  １８５  アーカイブリスト，  １９１  取材項目，  １９２  取材現場メタ情報，  ２３２  取材素材情報，  ２６１  番組情報、  ２７１  番組項目，  ２８１  番組構成，  ３１２  ＯＡ送出素材情報，  ５６１  報道支援システム，  ５７１  報道部門，  ５７２  取材部門，  ５７３  編集部門，  ５７４  送出部門，  ５７５  アーカイブ部門，  ５９１  取材項目作成端末，  ５９２  番組項目作成端末，  ５９３  記録装置，  ５９５  フィールド端末，  ５９６  撮像装置，  ５９７  リムーバブル記録媒体，  ５９８  編集端末，  ５９９  素材サーバ，  ６００  ＯＡサーバ管理端末，  ６０１  ＯＡサーバ，  ６０２  放送装置，  ６０３  アーカイブ管理端末，  ６０４  アーカイブ装置，  ６５３  アーカイブリスト作成部，
【図１】
2012004905.tif 000003
【図２】
2012004905.tif 000004
【図３】
2012004905.tif 000005
【図４】
2012004905.tif 000006
【図５】
2012004905.tif 000007
【図６】
2012004905.tif 000008
【図７】
2012004905.tif 000009
【図８】
2012004905.tif 000010
【図９】
2012004905.tif 000011
【図１０】
2012004905.tif 000012
【図１１】
2012004905.tif 000013
【図１２】
2012004905.tif 000014
【図１３】
2012004905.tif 000015
【図１４】
2012004905.tif 000016
【図１５】
2012004905.tif 000017
【図１６】
2012004905.tif 000018
【図１７】
2012004905.tif 000019
【図１８】
2012004905.tif 000020
【図１９】
2012004905.tif 000021
【図２０】
2012004905.tif 000022
【図２１】
2012004905.tif 000023
【図２２】
2012004905.tif 000024
【図２３】
2012004905.tif 000025
【図２４】
2012004905.tif 000026
【図２５】
2012004905.tif 000027
【図２６】
2012004905.tif 000028
【図２７】
2012004905.tif 000029